(57)【要約】  ゴルフクラブヘッドは、クラブ本体と静止面角度調整器とを含む。前記クラブ本体は、ソールの反対側のクラウン、ヒール端の反対側のトウ端、フェースの反対側の後端及びホーゼルを有する。前記ソールがソール面を含む。前記静止面角度調整器は、キール面を有する調整部材と、前記ソール面の一部が少なくとも部分的に境界付けるようにソールに形成されたリセスを含む。前記調整部材は、前記リセス内に設けられており、第１の調整位置と第２の調整位置の間で配置可能である。前記第１の調整位置では、前記キール面が前記ソール面の一部に対して第１の距離にある。前記第２の調整位置では、前記キール面が前記ソール面の前記一部に対して前記方向において前記第１の距離とは等しくない第２の距離にある。【選択図】図１０
2020518361.tif 000002
【特許請求の範囲】
【請求項１】
ゴルフクラブヘッドであって、
ソールの反対側のクラウン、ヒール端の反対側のトウ端、フェースの反対側の後端及びホーゼルを有するクラブ本体であって、前記ソールがソール面を含む、クラブ本体と、
前記ソールに形成されるとともにリセス縁を画定するリセス内に配置可能な調整部材を含む静止面角度調整器であって、キール面を有する前記調整部材が第１の調整位置と第２の調整位置の間で配置可能である、静止面角度調整器と、を備えており、
前記調整部材が前記第１の調整位置に配置されると、前記キール面の一部が前記ソール縁の一部から第１の距離にあり、前記調整部材が前記第２の調整位置に配置されると、前記キール面の前記一部が前記ソール縁の一部から前記第１の距離よりも大きい第２の距離にあるように、前記調整器が構成されている、ゴルフクラブヘッド。
【請求項２】
前記調整部材が前記第１の調整位置に配置されると、前記キール面の前記一部が前記リセス内に位置する、請求項１に記載のゴルフクラブヘッド。
【請求項３】
前記調整部材は、前記第１及び前記第２の調整位置の間でピボット軸周りに旋回可能である、請求項１に記載のゴルフクラブヘッド。
【請求項４】
前記調整部材は第１の端と第２の端を含み、前記キール面は前記第１の端と前記第２の端の間を延びており、
前記調整器は、
前記調整部材が前記第１の調整位置に配置されると、前記第１の端の近傍の前記キール面の一部が前記リセスの外に突出し、前記第２の端の近傍の前記キール面の一部が前記リセス内に位置し、
前記調整部材が前記第２の調整位置に配置されると、前記第１の端の近傍の前記キール面の前記一部が前記リセス内に位置し、前記第２の端の近傍の前記キール面の前記一部が前記リセスの外に突出するように、構成されている、請求項３に記載のゴルフクラブヘッド。
【請求項５】
前記調整部材はさらに第３の調整位置に配置可能であり、前記調整部材が前記第３の調整位置に配置されると、前記キール面が前記ソール面の一部と概ね同一平面となるように、前記調整器が構成されている、請求項４に記載のゴルフクラブヘッド。
【請求項６】
前記調整部材は、前記キール面の反対側の底面を含み、
前記調整器は、前記リセスの近傍のねじ穴と、前記ねじ穴に選択的に受け入れ可能な調整ねじと、を含み、前記調整ねじは前記底面と選択的に係合可能な先端部分を有しており、
前記調整ねじは、前記調整部材を前記第１及び第２の調整位置の間で再配置させるように旋回可能である、請求項３に記載のゴルフクラブヘッド。
【請求項７】
前記調整部材はさらに、前記第１の調整位置と前記第２の調整位置のいずれか一方に向けて前記調整部材を付勢するばねを含む、請求項１に記載のゴルフクラブヘッド。
【請求項８】
ゴルフクラブヘッドであって、
ソールの反対側のクラウン、ヒール端の反対側のトウ端、フェースの反対側の後端及びホーゼルを有するクラブ本体であって、前記ソールがソール面を含む、クラブ本体と、
前記ソールに形成されているリセス内に配置可能な調整部材を含む静止面角度調整器であって、キール面を有する前記調整部材が第１の調整位置と第２の調整位置の間で配置可能である、静止面角度調整器と、を備えており、
前記調整部材が前記第１の調整位置に配置されると、前記調整部材は前記クラブ本体の第１の位置でキールポイントをもたらし、前記調整部材が前記第２の調整位置に配置されると、前記調整部材は前記クラブ本体の前記第１の位置とは異なる第２の位置でキールポイントをもたらすように、前記静止面角度調整器が構成されている、ゴルフクラブヘッド。
【請求項９】
前記調整部材が前記第１の調整位置に配置されると、前記調整部材は完全に前記リセス内にある、請求項８に記載のゴルフクラブヘッド。
【請求項１０】
前記第２の位置は、前記第１の位置よりも前記フェースに近い、請求項８に記載のゴルフクラブヘッド。
【請求項１１】
前記第１の位置は、前記第２の位置よりも前記フェースに近い、請求項８に記載のゴルフクラブヘッド。
【請求項１２】
前記調整部材は、前記第１及び第２の調整位置の間でピボット軸周りに旋回可能である、請求項８に記載のゴルフクラブヘッド。
【請求項１３】
前記調整部材は、貫通スロットを含み、
前記調整器は、前記調整部材を前記第１の調整位置と前記第２の調整位置のそれぞれに選択的に固定する留め具を含み、
前記貫通スロット内において前記留め具が前記調整部材に対して移動可能となるように、前記調整器が構成されている、請求項８に記載のゴルフクラブヘッド。
【請求項１４】
前記調整部材は、前記リセス内において前記第１及び前記第２の調整位置の間で前記クラブ本体に対してスライド可能である、請求項１３に記載のゴルフクラブヘッド。
【請求項１５】
前記リセスは、内面に形成されたチャネルを含み、
前記調整部材は、前記チャネルに係合して前記調整部材を前記第１の調整位置と前記第２の調整位置のいずれか一方に選択的に固定するように構成されている突起を含む、請求項８に記載のゴルフクラブヘッド。
【請求項１６】
ゴルフクラブヘッドであって、
ソール面を有するソールの反対側のクラウン、ヒール端の反対側のトウ端、フェースの反対側の後端、ホーゼル及びクラブ本体にクラブシャフトを固定するための留め具を受け入れるように構成されているホーゼル面を有するホーゼルリセスを有するクラブ本体であって、前記ホーゼルリセスがリセス縁を画定し、前記ソール面の一部が前記リセス縁を境界付ける、クラブ本体と、
前記ホーゼルリセス内に設けられている調整部材を含む静止面角度調整器であって、前記調整部材が第１の調整位置と第２の調整位置の間で配置可能である、静止面角度調整器と、を備えており、
前記調整部材が前記第１の調整位置に配置されると、前記キール面が前記ソール面の一部に対して前記ソール面の前記一部に直交する方向において第１の距離にあり、前記調整部材が前記第２の調整位置に配置されると、前記キール面が前記ソール面の一部に対して前記方向において前記第１の距離とは等しくない第２の距離にあるように、前記調整器が構成されている、ゴルフクラブヘッド。
【請求項１７】
前記調整部材が前記第１の調整位置に配置されると、前記調整部材は前記クラブ本体の第１の位置でキールポイントをもたらし、前記調整部材が前記第２の調整位置に配置されると、前記調整部材は前記クラブ本体の前記第１の位置とは異なる第２の位置でキールポイントをもたらすように、前記静止面角度調整器が構成されている、請求項１６に記載のゴルフクラブヘッド。
【請求項１８】
前記調整部材はさらに、前記第１の調整位置と前記第２の調整位置の間の複数の中間調整位置に配置可能である、請求項１６に記載のゴルフクラブヘッド。
【請求項１９】
前記調整部材は、貫通スロットを含み、
前記調整器は、前記調整部材を前記第１の調整位置と前記第２の調整位置のそれぞれに選択的に固定する留め具を含み、
前記貫通スロット内において前記留め具が前記調整部材に対して移動可能となるように、前記調整器が構成されている、請求項１８に記載のゴルフクラブヘッド。
【請求項２０】
前記調整部材は、前記ホーゼルリセス内において前記第１及び前記第２の調整位置の間で前記クラブ本体に対してスライド可能である、請求項１９に記載のゴルフクラブヘッド。
【発明の詳細な説明】
【技術分野】
【０００１】
関連出願への相互参照
本出願は、２０１７年５月５日に出願された同時継続中の米国特許仮出願第６２／５０１，８７３号、２０１７年５月１５日に出願された同時継続中の米国特許仮出願第６２／５０６，３８７号、２０１８年４月１６日に出願された同時継続中の米国仮特許出願第６２／６５８，４３７号に対する優先権を主張する。これらの全ての内容は、その全体が組み込まれている。
【背景技術】
【０００２】
ゴルフクラブの様々な特性は、重心の位置及び静止面角度を含むゴルフクラブのパフォーマンスに影響を与え得る。
【発明の概要】
【課題を解決するための手段】
【０００３】
本開示は、一態様において、クラブ本体と静止面角度調整器とを含むゴルフクラブヘッドを提供する。前記クラブ本体は、ソールの反対側のクラウン、ヒール端の反対側のトウ端、フェースの反対側の後端及びホーゼルを有する。前記ソールがソール面を含む。前記静止面角度調整器は、キール面を有する調整部材と、前記ソール面の一部が少なくとも部分的に境界付けるようにソールに形成されたリセスを含む。前記調整部材は、前記リセス内に設けられており、第１の調整位置と第２の調整位置の間で配置可能である。前記調整部材が前記第１の調整位置に配置されると、前記キール面が前記ソール面の一部に対して前記ソール面の前記一部に直交する方向において第１の距離にある。前記調整部材が前記第２の調整位置に配置されると、前記キール面が前記ソール面の前記一部に対して前記方向において前記第１の距離とは等しくない第２の距離にある。
【０００４】
本開示は、他の一態様において、クラブ本体と静止面角度調整器とを含むゴルフクラブヘッドを提供する。前記クラブ本体は、ソールの反対側のクラウン、ヒール端の反対側のトウ端、フェースの反対側の後端及びホーゼルを有する。前記ソールがソール面を含む。前記静止面角度調整器は、前記ソールに形成されるとともにリセス縁を画定するリセス内に配置可能な調整部材を含む。前記調整部材は、キール面を有しており、第１の調整位置と第２の調整位置の間で配置可能である。前記調整部材が前記第１の調整位置に配置されると、前記キール面の一部が前記リセス縁の一部から第１の距離にある。前記調整部材が前記第２の調整位置に配置されると、前記キール面の前記一部が前記リセス縁の一部から前記第１の距離よりも大きい第２の距離にある。
【０００５】
本開示は、他の一態様において、クラブ本体と静止面角度調整器とを含むゴルフクラブヘッドを提供する。前記クラブ本体は、ソールの反対側のクラウン、ヒール端の反対側のトウ端、フェースの反対側の後端及びホーゼルを有する。前記ソールがソール面を含む。前記静止面角度調整器は、前記ソールに形成されているリセス内に配置可能な調整部材を含む。前記調整部材は、第１の調整位置と第２の調整位置の間で配置可能なキール面を有している。前記調整部材が前記第１の調整位置に配置されると、前記クラブヘッドがアドレス位置にあるときに前記調整部材が前記クラブ本体の第１の位置でキールポイントをもたらすように、前記静止面角度調整器が構成されている。前記調整部材が前記第２の調整位置に配置されると、前記クラブヘッドがアドレス位置にあるときに前記調整部材は前記クラブ本体の第２の位置でキールポイントをもたらす。
【０００６】
本開示は、他の一態様において、クラブ本体と静止面角度調整器とを含むゴルフクラブヘッドを提供する。前記クラブ本体は、ソール面を有するソールの反対側のクラウン、ヒール端の反対側のトウ端、フェースの反対側の後端、ホーゼル及びクラブ本体にクラブシャフトを固定するための留め具を受け入れるように構成されているホーゼル面を有するホーゼルリセスを有する。前記ホーゼルリセスがリセス縁を画定する。前記ソール面の一部が前記リセス縁を境界付ける。前記静止面角度調整器は、前記ホーゼルリセス内に設けられている調整部材を含み、前記調整部材がキール面を有する。前記調整部材は、第１の調整位置と第２の調整位置の間で配置可能である。前記調整部材が前記第１の調整位置に配置されると、前記キール面が前記ソール面の一部に対して前記ソール面の前記一部に直交する方向において第１の距離となるように、前記調整器が構成されている。前記調整部材が前記第２の調整位置に配置されると、前記キール面が前記ソール面の一部に対して前記方向において前記第１の距離とは等しくない第２の距離にある。
【図面の簡単な説明】
【０００７】
【図１】本明細書に開示されるような静止面角度調整器の１つ又は複数の実施形態を含むゴルフクラブヘッドの斜視図である。
【０００８】
【図２】図１のゴルフクラブヘッドの正面図であり、フェースプレートを示す図である。
【０００９】
【図３Ａ】図１のゴルフクラブヘッドの上面（又はクラウン）図である。
【００１０】
【図３Ｂ】図３Ａの３Ｂ−３Ｂ線に沿った図１のゴルフクラブヘッドの側断面図である。
【００１１】
【図４】調整部材を含む図１のゴルフクラブヘッドの他の斜視図である。
【００１２】
【図５】図４のゴルフクラブヘッドの一部の分解斜視図である。
【００１３】
【図６】図１のゴルフクラブヘッドの一部の斜視図であり、第１の位置にある調整部材を示す図である。
【００１４】
【図７】図１のゴルフクラブヘッドの一部の他の斜視図であり、第２の位置にある調整部材を示す図である。
【００１５】
【図８】図６の８−８線に沿った図１のゴルフクラブヘッドの一部の断面図である。
【００１６】
【図９】図７の９−９線に沿った図１のゴルフクラブヘッドの一部の他の断面図である。
【００１７】
【図１０】本開示の他の実施形態による静止面角度調整器を含むゴルフクラブヘッドの斜視図である。
【００１８】
【図１１】図１０のゴルフクラブヘッドの分解斜視図である。
【００１９】
【図１２】図１０のゴルフクラブヘッドの一部の斜視図であり、第１の位置にある調整部材を示す図である。
【００２０】
【図１３】図１０のゴルフクラブヘッドの一部の他の斜視図であり、第２の位置にある調整部材を示す図である。
【００２１】
【図１４】図１０のゴルフクラブヘッドの一部の他の斜視図であり、第３の位置にある調整部材を示す図である。
【００２２】
【図１５】図１２の１５−１５線に沿った図１０のゴルフクラブヘッドの一部の断面図である。
【００２３】
【図１６】図１３の１６−１６線に沿った図１０のゴルフクラブヘッドの一部の他の断面図である。
【００２４】
【図１７】図１４の１７−１７線に沿った図１０のゴルフクラブヘッドの一部の他の断面図である。
【００２５】
【図１８】本開示の他の実施形態による静止面角度調整器を含むゴルフクラブヘッドの斜視図である。
【００２６】
【図１９】図１８のゴルフクラブヘッドの分解斜視図である。
【００２７】
【図２０】図１８のゴルフクラブヘッドの一部の斜視図であり、第１の位置にある調整部材を示す図である。
【００２８】
【図２１】図１８のゴルフクラブヘッドの一部の他の斜視図であり、第２の位置にある調整部材を示す図である。
【００２９】
【図２２】図２０の２２−２２線に沿った図１８のゴルフクラブヘッドの一部の断面図である。
【００３０】
【図２３】図２１の２３−２３線に沿った図１８のゴルフクラブヘッドの一部の他の断面図である。
【００３１】
【図２４】本開示の他の実施形態による静止面角度調整器を含むゴルフクラブヘッドの斜視図である。
【００３２】
【図２５】図２４のゴルフクラブヘッドの分解斜視図である。
【００３３】
【図２６】図２４のゴルフクラブヘッドの一部の斜視図であり、第１の位置にある調整部材を示す図である。
【００３４】
【図２７】図２４のゴルフクラブヘッドの一部の他の斜視図であり、第２の位置にある調整部材を示す図である。
【００３５】
【図２８】図２６の２８−２８線に沿った図２４のゴルフクラブヘッドの一部の断面図である。
【００３６】
【図２９】図２７の２９−２９線に沿った図２４のゴルフクラブヘッドの一部の他の断面図である。
【００３７】
【図３０】本開示の他の実施形態による静止面角度調整器を含むゴルフクラブヘッドの斜視図である。
【００３８】
【図３１】図３０のゴルフクラブヘッドの一部の分解斜視図である。
【００３９】
【図３２】図３０のゴルフクラブヘッドの一部の他の分解斜視図である。
【００４０】
【図３３】図３２の３３−３３線に沿った図３０のゴルフクラブヘッドの一部の断面図であり、Ｌ字形スロットを有するキャビティを示す図である。
【００４１】
【図３４】図３０の３４−３４線に沿った図３０のゴルフクラブヘッドの一部の他の断面図である。
【００４２】
【図３５】図３０のゴルフクラブヘッドの一部の斜視図であり、第１の位置にある調整部材を示す図である。
【００４３】
【図３６】図３０のゴルフクラブヘッドの一部の他の斜視図であり、第２の位置にある調整部材を示す図である。
【００４４】
【図３７】図３０のゴルフクラブヘッドの一部の他の斜視図であり、第３の位置にある調整部材を示す図である。
【００４５】
【図３８】本開示の他の実施形態による静止面角度調整器を含むゴルフクラブヘッドの斜視図である。
【００４６】
【図３９】図３８のゴルフクラブヘッドの一部の分解斜視図である。
【００４７】
【図４０】図３８のゴルフクラブヘッドの一部の斜視図であり、第１の位置にある調整部材を示す図である。
【００４８】
【図４１】図３８のゴルフクラブヘッドの一部の他の斜視図であり、第２の位置にある調整部材を示す図である。
【００４９】
【図４２】図４０の４２−４２線に沿った図３８のゴルフクラブヘッドの一部の断面図である。
【００５０】
【図４３】図４１の４３−４３線に沿った図３８のゴルフクラブヘッドの一部の他の断面図である。
【００５１】
【図４４】本開示の他の実施形態による静止面角度調整器を含むゴルフクラブヘッドの斜視図である。
【００５２】
【図４５】図４４のゴルフクラブヘッドの分解斜視図である。
【００５３】
【図４６】図４４のゴルフクラブヘッドの一部の斜視図であり、第１の位置にある調整部材を示す図である。
【００５４】
【図４７】図４４のゴルフクラブヘッドの一部の他の斜視図であり、第２の位置にある調整部材を示す図である。
【００５５】
【図４８】図４６の４８−４８線に沿った図４４のゴルフクラブヘッドの一部の断面図である。
【００５６】
【図４９】図４７の４９−４９線に沿った図４４のゴルフクラブヘッドの一部の他の断面図である。
【発明を実施するための形態】
【００５７】
本明細書に記載されているのは、ユーザーがゴルフクラブヘッドの静止面角度を調整できるようにする多成分静止面角度調整器を有するゴルフクラブヘッドである。クラブヘッドは概して、ソールの反対側のクラウン、ヒール端の反対側のトウ端、フェースの反対側の後端、ホーゼル及びクラブ本体に形成されたリセスを有するクラブヘッド本体を含む。調整器は、リセスによって全体的又は部分的に受けられるとともにクラブヘッド本体に選択的に固定されるように構成された調整部材を含む。多くの実施形態では、本明細書に記載の調整部材は、クラブヘッドの外部輪郭から突出するか又はクラブヘッドの外部輪郭から最小限に挿入あるいは凹まされる。調整部材は、クラブヘッドのソールの外部輪郭に向かって又は離れるように、リセスに対してスライドまたは旋回するように構成される。調整部材はさらに、フェースに向かって又は離れるように、及び／又は、トウ端に向かって又は離れるように、リセスに対してスライドまたは旋回するように構成されてもよい。いくつかの実施形態では、調整器用の上記リセスは、クラブシャフト留め具へのアクセスを提供するためにクラブヘッドに形成されたホーゼルリセスであり、調整部材は、ホーゼルリセスの表面に取り付けられた調節可能なブラケットを含む。
【００５８】
本明細書に記載のゴルフクラブの「静止面角度」（ＲＦＡ）という用語は、アドレス（即ち、スイング前）のときにクラブフェースとゴルフボールの間、より具体的には、アドレスのときにクラブフェースとプレーヤーの意図したターゲットラインに沿ってゴルフボールから伸びる仮想線の間で形成される角度を指す。クラブフェースがターゲットラインに対してスクエア（又は、ほぼ垂直）である場合、ＲＦＡはニュートラルポジションにあることを理解されたい。クラブヘッドがシャフトの周りを回転し、トウ端がターゲットラインに対してボールから離れるように動くとき、ＲＦＡはオープンポジションにある。クラブヘッドがシャフトの周りを回転し、トウ端がターゲットラインに対してボールに向かって移動するとき、ＲＦＡはクローズポジションにある。ゴルフクラブヘッドのＲＦＡは、プレーヤーがゴルフボールをフックしたりスライスしたりする傾向を偏らせるか、促進する可能性がある。クローズポジションは、ゴルフボールの軌道を左にフックさせるように右利きのプレーヤーに影響する。オープンポジションは、ゴルフボールの弾道を右にスライスさせるように右利きのプレーヤーに影響する。
【００５９】
ゴルフクラブのＲＦＡは、一般的にキールポイントと呼ばれる、アドレスしたときにクラブが地面に対して自然に置かれるソール上の位置と、クラブの重心（ＣＧ）との関係によって決まる。いくつかの実施形態では、１つのキールポイントだけが存在する。そのような実施形態では、キールポイントはゴルフクラブヘッドのＣＧと整列し、地面に垂直な仮想軸がキールポイントとクラブのＣＧの両方を通過できるようにする。他の実施形態では、２つのキールポイントが存在する。そのような実施形態では、第１のキールポイントは、ＣＧに対してソールの第１の側に位置し、第２のキールポイントは、第１の側の反対であってＣＧに対してソールの第２の側に位置する。
【００６０】
キールポイントの高さは、例えば、ソールの隣接表面部に直交して測定された、ソールまたはソール特徴の周囲の自然な湾曲に対してキールポイントが外側に突出する距離である。キールポイントの高さが大きいほど、ポイントはソールの残りの部分からより突出している。ＣＧの前方（即ち、フェースに近い）にある第１キールポイントと、ＣＧの後方（即ち、後端に近い）にある第２キールポイントと、を持つ実施形態では、第１キールポイント又は第２キールポイントのソールに対する高さまたは位置の変更は、クラブヘッドのＲＦＡに影響する。例えば、第２キールポイントの高さを維持しながら第１キールポイントの高さを増やすと、ＲＦＡが開く傾向にあり、アドレスしたときにゴルフクラブヘッドがよりオープンポジションとなる。同様に、第１キールポイントの高さを維持しながら第２キールポイントの高さを下げると、ＲＦＡが開く傾向にあり、アドレスしたときにゴルフクラブヘッドがよりオープンポジションとなる。逆に、第２キールポイントの高さを維持しながら第１キールポイントの高さを下げると、ＲＦＡが閉じる傾向にあり、アドレスしたときにゴルフクラブヘッドがよりクローズポジションとなる。同様に、第１キールポイントの高さを維持しながら第２キールポイントの高さを上げると、ＲＦＡが閉じる傾向にあり、アドレスしたときにゴルフクラブヘッドがよりクローズポジションとなる。
【００６１】
他の特徴および態様は、以下の詳細な説明および添付図面を検討すれば明らかになろう。本開示のいずれかの実施形態を詳細に説明する前に、本開示は、その適用において、以下の説明に記載の、または添付図面に示される構成要素の構成および配置の細部に限定されないことが理解されたい。本開示は、他の実施形態をサポートすることができ、かつ様々な方法で実施または実行することができる。特定の実施形態の記述は、本開示が、本開示の趣旨および範囲に含まれるすべての変更形態、均等な形態、および代替形態を含むことを制限するように意図するものではないことを理解されたい。さらに、本明細書で使用される表現法および専門用語は、説明のためのものであり、限定するものと見なすべきではないことを理解されたい。
【００６２】
論議および理解を容易にするために、また単に説明の目的で、以下の詳細な記述では、ゴルフクラブヘッド１０をウッド、より詳細にはドライバー（図１−４９）として説明する。本明細書で開示されるように、静止面角度調整器１００（図１−９）、２００（図１０−１７）、３００（図１８−２３）、４００（図２４−２９）、５００（図３０−３７）、６００（図３８−４３）、７００（図４４−４９）の１つまたは複数の実施形態を説明するために、ドライバーが提供されることを理解されたい。開示される調整器１００、２００、３００、４００、５００、６００、７００は、１つまたは複数の調整部材がゴルフクラブヘッド１０に調整可能に配置される、ウッド、ハイブリッド、アイアン、パター、又は、他のゴルフクラブを含む任意の望ましいゴルフクラブヘッド１０で使用することができる。例えば、クラブヘッド１０は、これだけに限らないが、ドライバー、フェアウェイウッド、ハイブリッド、１番アイアン、２番アイアン、３番アイアン、４番アイアン、５番アイアン、６番アイアン、７番アイアン、８番アイアン、９番アイアン、ピッチングウェッジ、ギャップウェッジ、ユーティリティウェッジ、サンドウェッジ、ロブウェッジ、および／またはパターを含むことができる。加えて、ゴルフクラブヘッド１０は、約３度から約６５度（３、３．５、４、４．５、５、５．５、６、６．５、７、７．５、８、８．５、９、９．５、１０、１０．５、１１、１１．５、１２、１２．５、１３、１３．５、１４、１４．５、１５、１５．５、１６、１６．５、１７、１７．５、１８、１８．５、１９、１９．５、２０、２０．５、２１、２１．５、２２、２２．５、２３、２３．５、２４、２４．５、２５、２５．５、２６、２６．５、２７、２７．５、２８、２８．５、２９、２９．５、３０、３０．５、３１、３１．５、３２、３２．５、３３、３３．５、３４、３４．５、３５、３５．５、３６、３６．５、３７、３７．５、３８、３８．５、３９、３９．５、４０、４０．５、４１、４１．５、４２、４２．５、４３、４３．５、４４、４４．５、４５、４５．５、４６、４６．５、４７、４７．５、４８、４８．５、４９、４９．５、５０、５０．５、５１、５１．５、５２、５２．５、５３、５３．５、５４、５４．５、５５、５５．５、５６、５６．５、５７、５７．５、５８、５８．５、５９、５９．５、６０、６０．５、６１．６１．５、６２、６２．５、６３、６３．５、６４、６４．５、および／または６５度に限らないが、これらを含む）の範囲とすることのできるロフトを有することができる。
【００６３】
ゴルフクラブヘッド１０は、ヒール端２２（又は、ヒール２２）の反対側のトウ端１８（又は、トウ１８）を有するクラブ本体１４（又は、は本体１４）を含む。本体１４はまた、ソール３０（又は、ボトム３０）の反対側にクラウン２６（又は、トップ２６）を含む。本体１４は、打撃面３８を画定するフェースプレート３４（又は、打撃プレート３４あるいはクラブフェース３４）を担持する。フェースプレート３４は、後端４２（又は、後方端４２、後方部、あるいは、後部）（図１と図３Ａを参照）の反対側に位置する。複数の溝４６（図１参照）がフェースプレート３４に位置することができる。ゴルフクラブヘッド１０はまた、ホーゼル５０の中心を通って延びるホーゼル軸５４（図１参照）を有するホーゼル５０を含む。ホーゼル５０は、グリップ（図示せず）を担持するゴルフクラブシャフト（図示せず）を受け入れるように構成されている。
【００６４】
クラブヘッド１０の打撃フェース３４は、幾何学的中心１４０を規定する。いくつかの実施形態では、幾何学的中心１４０は、打撃フェース周囲の幾何学的中心点、およびフェース高さの中点に配置することができる。同じまたは他の例では、幾何学的中心１４０は、打撃フェース上の溝の領域によって画定することができる設計された衝撃ゾーンに関する中心に置くこともできる。別のアプローチとして、打撃フェースの幾何学的中心は、米国ゴルフ協会（ＵＳＧＡ）のようなゴルフ統治体の定義に従って配置することができる。例えば、打撃フェース３４の幾何学的中心１４０は、ゴルフクラブヘッドの柔軟性を測定するためのＵＳＧＡの手順の第６．１項（ＵＳＧＡ−ＴＰＸ３００４，Ｒｅｖ．１．０．０，  Ｍａｙ  １，  ２００８）（ｈｔｔｐ：／／ｗｗｗ．ｕｓｇａ．ｏｒｇ／ｅｑｕｉｐｍｅｎｔ／ｔｅｓｔｉｎｇ／ｐｒｏｔｏｃｏｌｓ／Ｐｒｏｃｅｄｕｒｅ−Ｆｏｒ−Ｍｅａｓｕｒｉｎｇ−Ｔｈｅ−Ｆｌｅｘｉｂｉｌｉｔｙ−Ｏｆ−Ａ−Ｇｏｌｆ−Ｃｌｕｂ−Ｈｅａｄ／）（「柔軟性の手順」）に従って決定され得る。
【００６５】
ここで、図２、図３Ａ及び図３Ｂを参照すると、ゴルフクラブヘッド１０は、ｘ軸６２、ｙ軸６６、およびｚ軸７０を含む座標系の原点を規定する重心またはＣＧ５８を含む。ｙ軸６６（図２に示す）は、クラブヘッド１０の重心５８を通って、クラウンまたはトップ２６からソールまたはボトム３０まで伸びており、側面図から見たときにホーゼル軸５４と平行であり、正面図（図２）から見たときに、ホーゼル軸５４から３０度の角度で配置されている。ｘ軸６２（図３Ａ参照）は、クラブヘッドの重心（ＣＧ）５８を通って、トウまたはトウ端１８からヒールまたはヒール端２２まで伸びており、正面から見たときにｙ軸６６に垂直である。ｚ軸７０（図３Ａ参照）は、クラブヘッド１０のＣＧ５８を通って、クラブフェース３４から後端４２まで伸びており、ｘ軸６２およびｙ軸６６に対して垂直である。ｘ軸６２は、ヘッドＣＧ５８を通って、トウまたはトウ端１８からヒールまたはヒール端２２まで伸びている。ｙ軸６６は、ヘッドＣＧ５８を通って、クラウンまたはトップ２６からソールまたはボトム３０まで伸びている。ｚ軸７０は、ヘッドＣＧ５８を通って、クラブフェース３４から後端部４２まで伸びている。
【００６６】
本明細書の技術革新を説明するさらなるガイダンスのために、ｘ軸６２およびｚ軸７０は、図３Ａのアナログ時計上の数字と一致するように配置される。ｚ軸７０は１２時（クラブフェース３４を通って「１２」）と６時（バック４２を通って「６」）の間を延びており、ｘ軸６２は３時（トウ端１８を通る「３」）と９時（ヒール端２２を通る「９」）の間を延びている。
【００６７】
図４−図９は、静止面角度調整器１００の実施形態を示している。調整器１００は、ゴルフクラブヘッド１０のソール３０の中又はその上に配置又は形成されるリセス１０４を含む。図示の実施形態では、リセス１０４は、フェース３４近くのヒール端２２から後端４２近くのトウ端１８に向かって延びている。リセス１０４は、ソール３０の一部に沿って延びる実質的に真っ直ぐなリセス１０４である。リセス１０４は、トウ端１８よりもヒール端２２に近く、フェース３４よりも後端４２に近く、且つ、ＣＧの後ろのソール３０に配置される。しかしながら、他の実施形態では、リセス１０４は、ゴルフクラブヘッドの前面近くのＣＧの前を含むように、ソール３０の任意の適切な位置に配置することができ、任意の適切な形状（例えば、弓形など）であり得る。
【００６８】
図示の実施形態では、リセス１０４は、底壁１０８、対向する側壁１１２、第２の端１２０を画定する後壁１１６、及び、第２の端１２０の反対側の第１の端１２８を画定する前壁１２４を含む。底壁１０８は、スライド面１３２を画定する。ソール３０は、ソール面７４を有している。そのソール面７４は、ソール面７４が側壁１１２、後壁１１６及び前壁１２４に接するリセス１０４を直接囲む隣接表面部７８を有している。言い換えれば、ソール面７４の一部は、少なくとも部分的にリセス１０４を境界付け、いくつかの実施形態では、隣接表面部７８はリセス縁部７８である。
【００６９】
リセス１０４は、スライド面１３２と隣接表面部７８との間でスライド面１３２に直交して測定される可変リセス深さＤを含む。図示の実施形態では、リセス深さＤは、クローズ端又は第１の端１２８の近くで大きく、オープン端又は第２の端１２０の近くで小さくなる。スライド面１３２は、ほぼ平坦であり、隣接表面部７８に対して傾斜又は角度を有しているため、リセス深さＤは、第２の端１２０と第１の端１２８との間で直線的に変化する。他の実施形態（図示せず）では、リセス深さＤは、第２の端１２０の近くでより大きく、第１の端１２８の近くでより小さくてもよい。同じ又は他の実施形態（図示せず）では、スライド面１３２は、弓状、階段状、別のプロファイルなどで形成されてもよく、これにより、リセス深さＤが、第１及び第２の端１２８、１２０の間で非線形に変化する、又は、一定のままである。
【００７０】
調整器１００はまた、リセス１０４内に少なくとも部分的に受け入れられる調整部材１３６を含む。調整部材１３６は、底面１４０、底面１４０の反対側に位置するキール面１４４（又は、突出面１４４あるいは接触面１４４）、及び、底面１４０とキール面１４４との間に延びる貫通スロット１４８を含む。貫通スロット１４８は、底壁１０８のねじ穴１５６と選択的に係合し、リセス１０４内において調整部材１３６をゴルフクラブヘッド１０に仮固定するねじ留め具１５２を受け入れることができる。他の実施形態（図示せず）では、調整部材１３６は、他の機械的手段（例えば、磁石など）によってゴルフクラブヘッド１０に固定することができる。リセス１０４に挿入されると、調整部材１３６の底面１４０はスライド面１３２に当接する。キール面１４４は、隣接表面部７８とキール面１４４との間の隣接表面部７８に直交して測定される、隣接表面部７８の上方のキール高さＨまで突出する。
【００７１】
図６−９に示されように、調整部材１３６は、第１の端１２８（図６及び図８）の近傍の第１の引込調整位置と第２の端１２０（図７及び図９）の近傍の第２の伸展調整位置との間の複数の調整位置において、リセス１０４内で再配置可能である。例えば、図６及び図８は、第１の調整位置にある調整部材１３６を示しており、調整部材１３６は第１の端１２８の近くに位置している。図７及び図９では、調整部材１３６は第２の調整位置に示されており、調整部材１３６は第２の端１２０の近くに位置している。図示の実施形態では、調整部材の調整は第１の位置と第２の位置との間で連続しており、調整部材１３６は第１と第２の調整位置の間の任意の数の中間調整位置（図示せず）に配置できる。他の実施形態（図示せず）では、調整部材１３６は、離散的な数の調整位置（即ち、２つの調整位置、３つの調整位置など）にのみ固定されてもよい。そのような実施形態では、調整部材１３６は、留め具１５２と協働して各調整位置（例えば、留め具１５２を受け入れるための調整部材１３６内の２つの穴、３つの穴などの別個の数の穴）を画定するインサート形状を含むことができる。あるいは、そのような実施形態では、調整部材１３６は、調整部材１３６を２つの調整位置、３つの調整位置などに制限する、側壁１１２の対応するノッチ（図示せず）と協働する隆起部（図示せず）又は他の構造を含んでもよい（又は、側壁１１２に隆起などが形成され、対応するノッチが調整部材１３６に形成されてもよい）。さらに、スロット１４８は、留め具１５２を離散した数の位置に制限する狭められた部分及び広げられた部分（図示せず）を含むことができる。
【００７２】
第１の調整位置では、キール面１４４は、隣接表面部７８とスライド面１３２との間の隣接表面部７８に直交して測定される、隣接表面部７８上の第１のキール高さＨ１（図８）まで突出している。第２の調整位置では、キール面１４４は、隣接表面部７８とスライド面１３２との間の隣接表面部７８に直交して測定される、隣接表面部７８上の第２のキール高さＨ２（図９）まで突出している。第２のキール高さＨ２は、第１のキール高さＨ１よりも大きい。言い換えれば、調整部材１３６が第２の調整位置にあるとき、キール面１４４は、調整部材１３６が第１の調整位置にあるときよりも、隣接表面部７８（又は、縁７８）を超えて大きく突出する。調整部材が第１の調整位置と第２の調整位置との間の中間調整位置（図示せず）に配置されると、キール面１４４は、第１のキール高さＨ１より大きく第２のキール高さＨ２より小さい中間キール高さ（図示せず）まで突出する。
【００７３】
静止面角度調整器１００の動作において、リセス１０４内の調整部材１３６の位置は、留め具１５２を緩め、調整部材１３６を第２の端１２０又は第１の端１２８に向かってスライドさせることにより調整できる。例えば、調整部材１３６は、留め具１５２を緩め、リセス１０４内で調整部材１３６を第１の端１２８からスライドさせ、次いで、調整部材１３６を第２の調整位置に固定するために留め具１５２を再び締めることにより、第１の調整位置（図６）から第２の調整位置（図７）に再配置することができる。同様に、調整部材１３６は、留め具１５２を緩め、調整部材１３６を第２の端１２０から第１の端１２８にスライドさせることにより、第２の調整位置（図７）から第１の調整位置（図６）に再配置することができる。
【００７４】
調整部材１３６を第１の端１２８と第２の端１２０との間で再配置することにより、キール高さＨを調整して、アドレス位置の静止面角度を操作することができる。例えば、キール面１４４がリセス１０４から最小限に伸展するような（即ち、キール面１４４が隣接表面部７８に対する調整高さＨ１まで伸展するように）、第１の調整位置（図６）にある調整部材１３６では、ゴルフクラブヘッド１０がアドレス位置にあるときに、キール面１４４は地面に接触し、それ自体のキールポイントを生成することができる。そのような場合、第１の調整位置でキール面１４４によって生成されるキールポイントは、ＣＧ５８の後ろに（即ち、ｚ軸７０に平行な方向で後端４２とＣＧ５８との間に）位置する。調整部材１３６を第１の調整位置に配置することにより、アドレスしたときの静止面角度は、アドレスしたときにトウ端１８がヒール端２２よりもゴルフボールに近くなる（例えば、ドローやフックを促進する）状態で、オープンポジションからニュートラルポジションへ、またはニュートラルポジションからクローズポジションへ、よりクローズポジションに向け直すことができる。
【００７５】
あるいは、キール面１４４が高さＨ１になるように調整部材１３６が第１の調整位置にあるとき、キール面１４４はクラブヘッド１０がアドレス位置にあるとき地面に接触しなくてもよく、又は、キール面１４４が完全にリセス１０４内にあってクラブヘッド１０がアドレス位置にあるとき地面に接触しなくてもよい。調整部材１３６を第１の調整位置に配置することにより、アドレスしたときの静止面角度は、アドレスしたときにトウ端１８もヒール端２２もゴルフボールに近くない（例えば、まっすぐなボール飛行を促進する）状態で、よりオープンポジションに又はニュートラルポジション（又は、ニュートラル構成あるいはスクエア構成）に向け直すことができる。
【００７６】
別の例として、キール面１４４がリセス１０４から十分に伸展するように（即ち、キール面１４４が隣接表面部７８に対する調整高さＨ２まで伸展するように）、調整部材１３６を第２の調整位置（図７）に向け直すことができ、キール面１４４が地面に接触し、したがって、高さＨ１で生成されたキールポイントとは異なる（前端から離れた）ソール面７４の異なる位置に独自のキールポイントを生成する、または代替的にゴルフクラブヘッド１０がアドレス位置にあるときに第１の調整部材キールポイントを生成する。第２の位置では、キール面１４４によって生成されるキールポイントは、ＣＧ５８の後ろに（即ち、ｚ軸７０に平行な方向で後端４２とＣＧ５８との間に）位置する。調整部材１３６を第２の調整位置に再配置することにより、アドレスしたときの静止面角度は、アドレスしたときにトウ端１８がヒール端２２よりもゴルフボールに近くなる（例えば、ドローやフックを促進する）状態で、オープンポジションからニュートラルポジションへ、又は、ニュートラルポジションからクローズポジションへ、よりクローズポジションへと向け直すことができる。
【００７７】
同様に、調整部材１３６は、第１の調整位置と第２の調整位置との間の任意の中間位置（図示せず）にさらに再配置でき、それによりアドレスしたときの静止面角度がよりクローズポジション又はオープンポジションに再配向される程度を調整する。他の実施形態（図示せず）では、上述のように、調整部材１３６は、離散的な数の調整位置（すなわち、２つの調整位置、３つの調整位置など）にのみ固定されてもよい。
【００７８】
調整器１００がない場合、ゴルフクラブヘッド１０は、アドレス位置においてソール面７４の輪郭上に自然なキールポイント１０２を有する。調整部材１３６が第１の調整位置に配置され、クラブヘッド１０がアドレス位置にあるとき、キール面１４４がリセスから伸展していなければ（即ち、キール高さＨはゼロ以下である）、自然なキールポイント１０２（図６）は第１の位置に留まる。あるいは、第１の調整位置では、キール面１４４はリセスから伸展することができる（即ち、キール高さＨはゼロよりも大きい）が、地面に接触せず、したがってキール面１４４にキールポイントを生成せず、これにより、自然なキールポイント１０２は第１の位置に維持される。調整部材１３６が第２の調整位置（図７）に移動すると、これにより、自然なキールポイント１０２は、図６および図７に示すように、ソール面７４の第１の位置とは異なる第２の位置に移動する。
【００７９】
図示の実施形態では、調整部材１３６が第１の調整位置（図６）に配置されると、キールポイント１０２の第１の位置はＣＧ５８とフェース３４との間にある（即ち、ｚ軸７０に平行な方向でＣＧ５８に対して第１の位置がフェースにより近い）。したがって、アドレスしたときの静止面角度は、よりオープンポジション又はニュートラルポジション（又は、ニュートラル構成あるいはスクエア構成）に向けることができ、トウ端１８もヒール端２２もゴルフボールに近くない（例えば、まっすぐなボール飛行を促進する）。調整部材１３６が第２の調整位置（図７）に配置されると、キールポイント１０２の第２の位置は、第１の位置とフェース３４の間にある（即ち、ｚ軸７０に平行な方向で第１の位置及びＣＧ５８に対して第２の位置がフェースにより近い）。したがって、アドレスしたときの静止面角度は、アドレスしたときにトウ端１８がヒール端２２よりもゴルフボールに近い状態で、オープンポジションからニュートラルポジション又はニュートラルポジションからクローズポジションのいずれかへ、より近いクローズポジションに向け直すことができる。言い換えれば、第１の調整位置から第２の調整位置への調整部材１３６の伸展は、アドレスしたときのよりクローズなフェース角をもたらす（即ち、オープンポジションからニュートラルポジション又はニュートラルポジションからクローズポジションなど）。その結果、第１の調整位置と第２の調整位置を比較した静止面角度の変化は最大１０度になり得る。例えば、第１の調整位置と第２の調整位置を比較した静止面角度の変化は、１度、２度、３度、４度、５度、６度、７度、８度、９度又は１０度であり得る。
【００８０】
調整部材１３６は、留め具１５２を外すことによりリセス１０４から取り外すこともできる。次に、調整部材１３６を回転させ、取り外して交換し、または別の方法で向きを変えてから再挿入するか、別の調整部材をリセス１０４に挿入する（図示せず）ことができる。調整部材１３６は、留め具１５２を貫通スロット１４８に再挿入し、ねじ穴１５６内で留め具１５２を再度締め付けることにより、リセス１０４に再取り付けすることができる。いくつかの実施形態では、留め具１５２は、調整部材１３６がリセスから取り外しできないように取り外し可能ではない。
【００８１】
図１０−図１７を参照すると、静止面角度調整器２００の実施形態が示されている。調整器２００は、調整器１００と同様の構成を有し、同様の名前および／または同様の番号が同様の構成を識別する。調整器２００は、ゴルフクラブヘッド１０のソール３０に配置されたリセスを含む。図示の実施形態では、リセス２０４は、前壁２２４から後壁２１６まで長手方向に延びている。リセス２０４は、ソール３０の一部に沿ってほぼ直線状に延びている。リセス２０４は、トウ端１８よりもヒール端２２に近いソール３０に配置されている。しかしながら、他の実施形態では、リセス２０４は、ソール３０の任意の適切な位置に配置することができ、任意の適切な形状（例えば、弓形など）であり得る。
【００８２】
図示の実施形態では、リセス２０４は、底壁２０８、対向する側壁２１２、フェース３４により近く配置された前壁２２４及び前壁２２４に対向するとともに後端４２により近く配置された後壁２１６を含む。ソール３０は、ソール面７４を有している。そのソール面７４は、ソール面７４が側壁２１２、後壁２１６及び前壁２２４と接するリセス２０４を直接囲む隣接表面部７８を有している。言い換えれば、ソール７４の一部は、少なくとも部分的にリセス２０４を境界付け、いくつかの実施形態では、隣接表面部７８はリセス縁部７８である。
【００８３】
調整器２００はまた、リセス２０４内に少なくとも部分的に受け入れられる調整部材２３６を含む。調整部材２３６は、第１の端２６４と第２の端２６８との間に延びる本体２６０（第１の端２６４はＣＧの前にあり、第２の端２６８はＣＧの後ろにある）、底面２４０、底面２４０の反対側に位置するキール面２４４（又は、底面２４０の反対側に位置する突出面２４４あるいは接触面２４４）、及び、底面２４０とキール面２４４との間で本体２６０と横方向に交差するスロット２４８を含む。スロット２４８は、ピボット軸２７２を規定し、側壁２１２のねじ穴２５６と選択的に係合し、リセス２１２内において調整部材２３６をゴルフクラブヘッド１０に仮固定するねじ留め具２５２を受け入れることができる。他の実施形態（図示せず）では、調整部材２３６は、他の機械的手段（例えば、磁石など）によってゴルフクラブヘッド１０に固定することができる。リセス２０４に挿入されると、第１の端２６４は前壁２２４に隣接して位置し、第２の端は後壁２１６に隣接して位置する。キール面２４４の一部は、隣接表面部７８とキール面２４４との間の隣接表面部７８に直交して測定される、隣接表面部７８の上方でキール高さＨまで突出することができる。
【００８４】
図１２−図１７に示されるように、調整部材２３６は、第１の端２６４がリセス２０４から完全に伸展する（図１４及び図１７）第１の調整位置と第２の端２６８がリセス２０４から完全に伸展している（図１３及び図１６）第２の調整位置との間の複数の調整位置において、リセス２０４内に再配向可能である。調整部材は、第１の端２６４も第２の端２６８もリセス２０４から伸展しない（図１２及び図１５）又は第１の端２６４及び／又は第２の端２６８がリセス２０４から最小限に伸展する、第３のニュートラル調整位置に配置することもできる。第３の調整位置では、キール面２４４は、隣接表面部７８とほぼ同一平面上にある。
【００８５】
静止面角度調整器２００の動作において、リセス２０４内の調整部材２３６の向きは、留め具２５２を緩め、第１の端２６４又は第２の端２６８がリセス２０４から外側に、隣接表面部７８（又は、縁７８）の上に突出するように、調整部材２３６をピボット軸２７２の周りに回転させることにより調整することができる。例えば、調整部材２３６は、留め具２５２を緩め、第１の端２６４を底壁２０８に向けて旋回させ、次いで調整部材２３６を第２の調整位置に固定するために留め具２５２を再び締めることにより、第１の調整位置（図１４）から第２の調整位置（図１３）に旋回させることができる。同様に、調整部材２３６は、留め具２５２を緩め、第２の端２６８を底壁２０８に向かって旋回させることにより、第２の調整位置（図１３）から第１の調整位置（図１４）に旋回することができる。さらに、調整部材２３６は、留め具２５２を緩め、第１及び第２の端２６４、２６８のそれぞれが底壁２０８からほぼ同じ距離に方向付けられるまで、ピボット軸２７２の周りで調整部材２３６を旋回させることにより、第３のニュートラル調整位置（図１２）に旋回することができる。
【００８６】
調整部材２３６を第１、第２及び第３の調整位置の間で旋回させることにより、調整部材２３６の各端２６４、２６８でキール高さＨが調整され、アドレス位置の静止面角度を操作することができる。例えば、第１の端２６４がリセス２０４から伸展する第１の調整位置にある調整部材２３６では（図１４）、ゴルフクラブヘッド１０がアドレス位置にあるときに、キール面２４４が第１の端２６４で地面に接触し、それ自体のキールポイントを生成する。第１の位置では、キール面２４４によって生成されるキールポイントは、ＣＧ５８の前方に（即ち、ｚ軸７０に平行な方向でフェース３４とＣＧ５８との間に）位置する。調整部材２３６を第１の調整位置に配置することにより、アドレスしたときの静止面角度は、アドレスしたときにヒール端２２がトウ端１８よりもゴルフボールに近くなる（例えば、フェードまたはスライスを促進する）状態で、よりオープンポジションに向けることができる。
【００８７】
別の例として、調整部材２３６は、第２の端部２６８がリセス２０４の外に伸展し、キール面２４４が第２の端２６８で地面に接触し、したがってゴルフクラブヘッド１０がアドレス位置にあるときに異なる調整部材のキールポイントを生成するように、第２の調整位置（図１３）に向け直すことができる。第２の位置では、キール面２４４によって生成されるキールポイントは、ＣＧ５８の後ろに（即ち、ｚ軸７０に平行な方向で後端４２とＣＧ５８との間に）位置する。調整部材２３６を第２の調整位置に再配置することにより、アドレスしたときの静止面角度は、アドレスしたときにトウ端１８がヒール端２２よりもゴルフボールに近くなる（例えば、ドローまたはフックを促進する）状態で、よりクローズポジションに向け直すことができる。第１の調整位置と第２の調整位置との間の調整はまた、図４−９に関して上述したように、ソール面７４上のキールポイントを第１の位置から第２の位置へ移動させる。その結果、第１の調整位置と第２の調整位置を比較した静止面角度の変化は最大２０度になり得る。例えば、第１の調整位置と第２の調整位置を比較した静止面角度の変化は、１度、２度、３度、４度、５度、６度、７度、８度、９度、１０度、１１度、１２度、１３度、１４度、１５度、１６度、１７度、１８度、１９度又は２０度であり得る。
【００８８】
別の例として、調整部材２３６は、第１の端２６４も第２の端２６８もリセス２０４の外に伸展しないように（又は、第１および第２端部２６４、２６８が完全にリセス２０４内にあってもよい）、第３の調整位置（図１２）に向け直すことができる。第３の調整位置では、キール面２４４は地面に接触せず、したがって、ゴルフクラブヘッド１０がアドレス位置にあるときに、いずれの端２６４、２６８にもキールポイントを生成しない。調整部材２３６を第３の調整位置に再配置することにより、アドレスしたときの静止面角度は、アドレスしたときにトウ端１８もヒール端２２もゴルフボールに近くない（例えば、まっすぐなボール飛行を促進する）状態で、よりニュートラルポジション（又は、ニュートラル構成あるいはスクエア構成）に向け直すことができる。
【００８９】
図示の実施形態では、調整部材２３６は、第１の調整位置と第３の調整位置との間の任意の中間位置（図示せず）にさらに再配置することができ、それによりアドレスしたときの静止面角度がよりオープンポジションに再配向される程度を調整する。同様に、調整部材２３６は、第２の調整位置と第３の調整位置との間の任意の中間位置（図示せず）にさらに再配置することができ、それによりアドレスしたときの静止面角度がよりクローズオープンポジションに再配向される程度を調整する。さらなる実施形態（図示せず）では、調整部材２３６は、調整器１００に関して上述したようなリセス２０４内又は調整部材上の表面特徴を用いて、離散的の数の調整位置（すなわち、２つの調整位置、３つの調整位置など）にのみ固定されてもよい。
【００９０】
図１８−２３を参照すると、静止面角度調整器３００の実施形態が示されている。調整器３００は、調整器１００及び２００と同様の構成を有し、同様の名前および／または同様の番号が同様の構成を識別する。調整器３００は、ゴルフクラブヘッド１０のソール３０に配置されたリセス３０４を含む。図示の実施形態では、リセス３０４は、フェース３４に近い前壁３２４から後端４２に近い後壁３１６まで長手方向に延びている。  凹部３０４は、ソール３０の一部に沿ってほぼ直線状に延びている。リセス３０４は、トウ端１８よりもヒール端２２に近く、フェース３４よりも後端４２に近く、且つ、ＣＧの後ろのソール３０に配置される。しかしながら、他の実施形態では、リセス３０４は、ゴルフクラブヘッドの前面近くのＣＧの前を含むように、ソール３０の任意の適切な位置に配置することができ、任意の適切な形状（例えば、弓形など）であり得る。
【００９１】
図示の実施形態では、リセス３０４は、底壁３０８、対向する側壁３１２、フェース３４により近く配置された前壁３２４及び前壁３２４に対向するとともに後端４２により近く配置された後壁３１６を含む。ソール３０は、ソール面７４を有している。そのソール面７４は、ソール面７４が側壁３１２、後壁３１６及び前壁３２４と接するリセス３０４を直接囲む隣接表面部７８を有している。ソール面７４の一部は、少なくとも部分的にリセス３０４を境界付け、いくつかの実施形態では、隣接表面部７８はリセス縁部７８である。
【００９２】
調整器３００はまた、リセス３０４内に少なくとも部分的に受け入れられる調整部材３３６を含む。調整部材３３６は、第１の端３６４と第２の端３６８との間に延びる本体３６０と、テーパ状の底面３４０と、底面３４０の反対側に位置するキール面３４４（又は、突出面３４４あるいは接触面３４４）を含む。図示された構造では、一対の円筒状突起３７６（図１９）が、底面３４０及び前壁３２４に近接した調整部材３３６の側面の各々から外向きに突出している。リセス３０４は、各側壁３１２に一対の開口部３８０を含み、これらの開口部３８０が突起部３７６を受け入れて調整部材３３６をリセス３０４内に固定する。他の実施形態（図示せず）では、調整部材３３６は、他の機械的手段（例えば、磁石など）によってゴルフクラブヘッド１０に固定することができる。突起３７６は、ピボット軸３７２も規定している。リセス３０４に挿入されると、第１の端３６４は前壁３２４に隣接して位置し、そこに回転可能に連結され、第２の端は後壁３１６に隣接して位置する。ばね３８４は、リセス３０４の前壁３２４と調整部材３３６の第１の端３６４との間に配置され、底面３４０を底壁３０８に向かって付勢する（即ち、ばね３８４は、調整部材を第１の引込位置に向けて付勢する）（図２０）。他の実施形態では、ばねは、発泡体などの圧縮性材料又は任意の他の適切な圧縮性材料であってもよい。さらに他の実施形態では、ばね３８４は、任意の適切な結合方法によって底壁３０８及び底面３４０に結合されてもよい。
【００９３】
クラブヘッド１０はまた、後壁３１６と交差し、本体３６０を通って後端４２から後壁３１６まで延びるねじ穴３５６を含む。調整ねじ３５２は、ねじ穴３５６と選択的に係合する。調整ねじ３５２は、ねじ穴３５６内で回転可能に調整可能であるため、先端部分３８８は、後壁３１６を通ってリセス３０４内に選択的に突出する。
【００９４】
図２０−２３に示されるように、調整部材３３６は、第１の引込調整位置（図２０及び２２）と第２の伸展調整位置（図２１および２３）との間の複数の調整位置において、リセス３０４内に再配向可能である。例えば、図２０及び図２２は、キール面３４４が隣接表面部７８の上に突出しない（即ち、第１キール高さＨ）第１の調整位置にある調整部材３３６を示す。図２１及び図２３において、調整部材３３６は、キール面３４４が隣接表面部７８の上方の外側に突出する第２調整位置で示される（即ち、第１キール高さＨよりも大きい第２キール高さＨ）。調整部材３３６は、第１の調整位置と第２の調整位置との間の任意の数の中間調整位置（図示せず）に配置することもできる。他の実施形態（図示せず）では、調整部材３３６は、調整器１００に関して上述したようなリセス３０４内又は調整部材上の表面特徴を用いて、離散的な数の調整位置（即ち、２つの調整位置、３つの調整位置など）にのみ固定されてもよい。
【００９５】
静止面角度調整器３００の動作において、リセス３０４内の調整部材３３６の向きは、調整ねじ３５２を回転させることにより調整することができる。具体的には、調整ねじ３５２がねじ穴３５６にねじ込まれると、先端部３８８が底面３４０に当接し、調整部材３３６をばね３８４の力に抗してピボット軸３７２の周りで回転させ、調整部材３３６を離散的な位置に維持することを可能にする。調整部材３３６が旋回すると、第２の端３６８は、リセス３０４から離れるように回転し、隣接表面部７８（または縁７８）の上に位置する。
【００９６】
調整部材３３６を第１の調整位置と第２の調整位置との間で旋回させることにより、キール高さＨを調整して、アドレス位置での静止面角度を操作することができる。例えば、キール面３４４がリセス３０４から伸展しない（あるいは、最小限に伸展する）、又は、リセス３０４内に完全に収まる第１の調整位置にある調整部材３３６では（図２０）、ゴルフクラブヘッド１０がアドレス位置にあるときに、キール面３４４が地面に接触せず、それ自体のキールポイントを生成しない場合がある。調整部材３３６を第１の調整位置に配置することにより、アドレスしたときの静止面角度は、アドレスしたときにトウ端１８もヒール端２２もゴルフボールに近くない（例えば、まっすぐなボール飛行を促進する）状態で、よりオープンポジション又はニュートラルポジション（又は、ニュートラル構成あるいはスクエア構成）に向けることができる。
【００９７】
別の例として、キール表面３４４が十分なキール高さＨでリセス３０４から伸展するように第２の調整位置（図２１）に調整部材３３６を向け直すことができ、これにより、ゴルフクラブヘッド１０がアドレス位置にあるときに、キール面３４４が地面に接触し、したがって、それ自体のキールポイントを生成する。第２の位置では、キール面３４４によって生成されるキールポイントは、ＣＧ５８の後ろに（即ち、ｚ軸７０に平行な方向で後端４２とＣＧ５８との間に）位置する。調整部材３３６を第２の調整位置に再配置することにより、アドレスしたときの静止面角度は、アドレスしたときにトウ端１８がヒール端２２よりもゴルフボールに近くなる（例えば、ドローまたはフックを促進する）状態で、オープンポジションからニュートラルポジションへ、又は、ニュートラルポジションからクローズポジションへ、よりクローズポジションへと向け直すことができる。第１の調整位置と第２の調整位置との間の調整はまた、図４−９に関して上述したように、ソール面７４上のキールポイントを第１の位置から第２の位置へ移動させる。その結果、第１の調整位置と第２の調整位置を比較した静止面角度の変化は最大１０度になり得る。例えば、第１の調整位置と第２の調整位置を比較した静止面角度の変化は、１度、２度、３度、４度、５度、６度、７度、８度、９度又は１０度であり得る。
【００９８】
同様に、調整部材３３６は、第１の調整位置と第２の調整位置との間の任意の中間位置（図示せず）にさらに再配置することができ、それによりアドレスしたときの静止面角度がよりクローズポジション又はオープンポジションに再配向される程度を調整する。他の実施形態（図示せず）では、調整部材３３６は、調整器１００に関して上述したように、離散的な数の調整位置（すなわち、２つの調整位置、３つの調整位置など）にのみ固定されてもよい。
【００９９】
図２４−２９を参照すると、静止面角度調整器４００の実施形態が示されている。調整器４００は、調整器１００、２００及び３００と同様の構成を有し、同様の名前および／または同様の番号が同様の構成を識別する。調整器４００は、ゴルフクラブヘッド１０のソール３０に配置されたリセス４０４を含む。図示の実施形態では、リセス４０４はほぼ円筒形であり、ソール面７４の開口部４８８から底壁４０８まで軸方向に延びている。リセス４０４は、トウ端１８よりもヒール端２２に近く、フェース３４よりも後端４２に近いソール３０に配置される。しかしながら、他の実施形態では、リセス４０４は、フェース３４により近くのＣＧの前を含むように、ソール３０の任意の適切な位置に配置することができる。
【０１００】
図示の実施形態では、リセス４０４は、底壁４０８と、底壁４０８と開口部４８８との間に延びる円筒形側壁４１２とを含む。ソール３０は、ソール面７４を有している。そのソール面７４は、ソール面７４が円筒状側壁４１２と接するリセス４０４を直接取り囲む隣接表面部７８を有している。ソール面７４の一部は、少なくとも部分的にリセス４０４を境界付け、いくつかの実施形態では、隣接表面部７８はリセス縁部７８である。
【０１０１】
調整器４００はまた、リセス４０４内に少なくとも部分的に受け入れられる調整部材４３６を含む。調整部材４３６は、底面４４０と底面４４０の反対側に位置するキール面４４４（又は、突出面４４４あるいは接触面４４４）との間に延びる概ね円筒形の本体４６０を含む。貫通スロット４４８は、本体４６０を横断して延びている。貫通スロット４４８は、円筒形側壁４１２のねじ穴４５６と選択的に係合し、リセス４０４内において調整部材４３６をゴルフクラブヘッド１０に仮固定するねじ留め具４５２を受け入れることができる。他の実施形態（図示せず）では、調整部材１３６は、他の機械的手段（例えば、磁石など）によってゴルフクラブヘッド１０に固定することができる。ばね４８４は、リセス４０４の底壁４０８と調整部材４３６の底面４４０との間に配置され、底面４４０を底壁４０８から離れるように付勢する。他の実施形態では、ばねは、発泡体などの圧縮性材料、または任意の他の適切な圧縮性材料であってもよい。他の実施形態では、バネは使用されない。
【０１０２】
図２６−２９に示すように、調整部材４３６は、第１の引込調整位置（図２６及び２８）と第２の伸展調整位置（図２７及び２９）との間の複数の調整位置において、即ち、概してクラウンからソール方向において、リセス４０４内に再配置可能である。例えば、図２６及び図２８は、底面４４０が底壁４０８の近くに位置する第１の調整位置にある調整部材４３６を示す。図２７及び図２９では、調整部材４３６は、底面４４０が底壁４０８からより遠くに位置する第２の調整位置で示されている。調整部材４３６は、第１の調整位置と第２の調整位置との間の任意の数の中間調整位置（図示せず）に配置することもできる。他の実施形態（図示せず）では、調整部材４３６は、調整器１００に関して上述したようなリセス３０４内又は調整部材上の表面特徴を用いて、離散的な数の調整位置（即ち、２つの調整位置、３つの調整位置など）にのみ固定されてもよい。
【０１０３】
図示の実施形態では、調整部材４３６が第１の調整位置にあるとき、キール面４４４は、隣接表面部７８（または縁７８）を越えて突出する。他の実施形態（図示せず）では、キール面４４４は、第１の位置において、隣接表面部分７８の下にあるか、又は、比較的同一面である。調整部材４３６が第２の調整位置にあるとき、キール面４４４は、調整部材４３６が第１の調整位置にあるときよりも、隣接表面部７８（または縁７８）を超えて大きく突出する。調整部材が第１の調整位置と第２の調整位置との間の中間調整位置（図示せず）に配置されると、キール面４４４は、第１の調整位置より大きく第２の調整位置より小さい中間程度に突出する。
【０１０４】
静止面角度調整装置４００の動作において、リセス４０４内の調整部材４３６の位置は、留め具４５２を緩め、調整部材４３６をリセス４０４の中へ又は外にスライドさせることにより調整することができる。バネ４８４は、調整部材４３６を底壁４０８から離れるように付勢する。調整部材４３６を底壁４０８に向かってスライドさせるには、バネ４８４のバネ力に打ち勝つまで、調整部材を底壁４０８に向かって押す。例えば、調整部材４３６は、留め具４５２を緩め、リセス４０４内で調整部材４３６を底壁４０８からスライドして離れさせ（即ち、ばね４８４によるばね力に基づいて）、次いで、留め具４５２を再び締めて、調整部材４３６を第２の調節位置に固定することにより、第１の調整位置（図２６）から第２の調整位置（図２７）に再配置することができる。同様に、調整部材４３６は、留め具４５２を緩め、調整部材４３６を底壁４０８に向かって押すことにより、第２の調整位置（図２７）から第１の調整位置（図２６）に移動することができる。
【０１０５】
調整部材４３６を第１の調整位置と第２の調整位置との間で再配置することにより、キール高さＨを調整して、アドレス位置の静止面角度を操作することができる。例えば、キール面４４４がリセス４０４から最小限にしか伸展しないような、第１の調整位置（図２６）にある調整部材４３６では、ゴルフクラブヘッド１０がアドレス位置にあるときに、キール面４４４が地面に接触し、それ自体のキールポイントを生成することができる。あるいは、第１の調整位置では、クラブヘッド１０がアドレス位置にあるときにキール面４４４が地面に接触しないか、またはキール面４４４が完全にリセス４０４内にあり、クラブヘッド１０が地面にあるときに地面に接触しないことがある。調整部材４３６を第１の調整位置に配置することにより、アドレスしたときの静止面角度は、アドレスしたときにトウ端１８もヒール端２２もゴルフボールに近くない（例えば、まっすぐなボール飛行を促進する）状態で、よりオープンポジションに又はニュートラルポジション（又は、ニュートラル構成あるいはスクエア構成）に向けることができる。
【０１０６】
別の例として、キール面４４４がリセス１０４から十分なキール高さＨで伸展する第２の調整位置（図２７）に調整部材４３６を向け直すことができ、これにより、ゴルフクラブヘッド１０がアドレス位置にあるときに、キール面１４４が地面に接触し、したがって、それ自体のキールポイントを生成する。第２の位置では、キール面４４４によって生成されるキールポイントは、ＣＧ５８の後ろに（即ち、ｚ軸７０に平行な方向で後端４２とＣＧ５８との間に）位置する。調整部材４３６を第２の調整位置に再配置することにより、アドレスしたときの静止面角度は、アドレスしたときにトウ端１８がヒール端２２よりもゴルフボールに近くなる（例えば、ドローやフックを促進する）状態で、オープンポジションからニュートラルポジションへ、又は、ニュートラルポジションからクローズポジションへ、よりクローズポジションへと向け直すことができる。第１の調整位置と第２の調整位置との間の調整はまた、図４−９に関して上述したように、ソール面７４上のキールポイントを第１の位置から第２の位置へ移動させる。その結果、第１の調整位置と第２の調整位置を比較した静止面角度の変化は最大１０度になり得る。例えば、第１の調整位置と第２の調整位置を比較した静止面角度の変化は、１度、２度、３度、４度、５度、６度、７度、８度、９度又は１０度であり得る。
【０１０７】
同様に、調整部材４３６は、第１の調整位置と第２の調整位置との間の中間位置（図示せず）にさらに再配置することができ、それによりアドレスしたときの静止面角度がよりクローズポジション又はオープンポジションに再配向される程度を調整する。他の実施形態（図示せず）では、調整部材４３６は、調整器１００に関して上述したように、調整器１００に関して上述したように、離散的な数の調整位置（すなわち、２つの調整位置、３つの調整位置など）にのみ固定されてもよい。
【０１０８】
図３０−３７を参照すると、静止面角度調整器５００の実施形態が示されている。調整器５００は、調整器１００、２００、３００及び４００と同様の構成を有し、同様の名前および／または同様の番号が同様の構成を識別する。調整器５００は、ゴルフクラブヘッド１０のソール３０に配置されたリセス５０４を含む。図示の実施形態では、リセス５０４はほぼ円筒形であり、ソール面７４の開口部５８８から底壁５０８まで軸方向に延びている。リセス５０４は、トウ端１８よりもヒール端２２に近く、フェース３４よりも後端４２に近いソール３０に配置される。しかしながら、他の実施形態では、リセス５０４は、ＣＧの前であって、且つ、ソール３０の任意の適切な位置に配置することができる。
【０１０９】
図示の実施形態では、リセス５０４は、底壁５０８と、底壁５０８と開口部５８８との間に延びる円筒形側壁５１２とを含む。ソール３０は、ソール面７４を有している。そのソール面７４は、ソール面７４が円筒形側壁５１２と接するリセス５０４を直接囲む隣接表面部７８を有している。ソール表面７４の一部は、少なくとも部分的にリセス５０４を境界付け、いくつかの実施形態では、隣接表面部７８はリセス縁部７８である。
【０１１０】
図３３に示されるように、リセス５０４は、円筒状側壁５１２に形成されたＪ字形またはＬ字形の溝またはチャネル５５０を含む。各チャネル５５０は、以下でさらに詳細に議論されるように、それぞれの調整位置（及びキール高さＨ）に対応する軸部分５５４及び円周部分５５８を含む。図示の実施形態では、リセス５０４は、第１のチャネル５６２、第２のチャネル５６６及び第３のチャネル５７０を含む３つのチャネル５５０を含む。他の実施形態（図示せず）では、リセス５０４は、３つより少ないまたは多い調整位置に対応する３つより少ないまたは多いチャネル５５０を含むことができる。
【０１１１】
調整器５００はまた、リセス５０４内に少なくとも部分的に受け入れられる調整部材５３６を含む。調整部材５３６は、底面５４０と底面５４０の反対側に位置するキール面５４４（又は、突出面５４４あるいは接触面５４４）との間に延びる円周側壁５９２を有するほぼ円筒形の本体５６０を含む。突起５７６は、円周側壁５９２から半径方向外向きに延びている。突起５７６は、円筒形側壁５１２のそれぞれのチャネル５５０と選択的に係合して、凹部５０４内において調整部材５３６をゴルフクラブヘッド１０に仮固定することができる。ツールリセス５９６は、キール面５４４に配置され、ツールビット（図示せず）と選択的に係合して、リセス５０４に対して調整部材５３６を回転させる。ばね５８４は、リセス５０４の底壁５０８と調整部材５３６の底面５４０との間に配置され、底面５４０を底壁５０８から離れてクラウンからソールに付勢する。他の実施形態では、ばねは、発泡体などの圧縮性材料、または任意の他の適切な圧縮性材料であってもよい。他の実施形態では、バネは使用されない。
【０１１２】
図３５−３７に示すように、図示の実施形態では、調整部材５３６は、第１の引込調整位置（図３５）と第２の部分伸展調整位置（図３６）と第３の完全伸展調整位置（図３７）の間において、リセス５０４内で再配置可能である。例えば、図３５は、突起５７６が第１のチャネル５６２と係合し、底面５４０が底壁５０８に最も近い位置にある第１の調整位置にある調整部材５３６を示す。図３６では、調整部材５３６は、突起５７６が第２のチャネル５６６と係合し、底面５４０が底壁５０８から中間距離に位置する第２の調整位置で示されている。図３７では、調整部材５３６は、突起５７６が第３のチャネル５７０と係合し、底面５４０が底壁５０８から最も遠くに位置する第３の調整位置で示されている。
【０１１３】
図示の実施形態では、調整部材５３６が第１の調整位置にあるとき、キール面５４４は、隣接表面部７８（又は縁７８）と比較的同一面である。調整部材５３６が第２の調整位置にあるとき、キール面５４４は、隣接表面部７８を越えて中間程度にまで突出する。調整部材５３６が第３の調整位置にあるとき、キール面５４４は、調整部材５３６が第１または第２の調整位置にあるときよりも大きな程度で隣接表面部７８を越えて突出する。
【０１１４】
静止面角度調整器５００の動作において、リセス５０４内の調整部材５３６の位置は、リセス５０４の第１、第２及び第３のチャネル５５０のいずれかと係合することにより調整することができる。例えば、調整部材５３６を第１の調整位置（図３５）に配置するためには、まず調整部材５３６を軸方向に沿ってリセス５０４に押し込み、突起５７６が第１チャネル５６２の軸部５５４に係合して横断するようにする。そして、その後、突起５７６が第１のチャネル５６２の円周部分５５８と係合してこれを横断するように、調整部材５３６が続いて回転される。同様に、第１のチャネル５６２に関して上述したのと同様の方法で調整部材５３６を第２又は第３のチャネル５６６、５７０と係合させることにより、調整部材５３６を第１の調整位置（図４０）から第２の調整位置（図３６）又は第３の調整位置（図３７）に再配置することができる。
【０１１５】
調整部材５３６を第１、第２及び第３の調整位置の間で再配置することにより、キール高さＨを調整して、アドレス位置の静止面角度を操作することができる。例えば、キール面５４４がほぼ隣接表面部７８と同一平面にあるか、又は、完全にリセス５０４内にある第１の調整位置（図３５）にある調整部材５３６では、キール面５４４は地面に接触せず、したがって、ゴルフクラブヘッド１０がアドレス位置にあるときにそれ自体のキールポイントを生成しない。調整部材５３６を第１の調整位置に配置することにより、アドレスしたときの静止面角度は、アドレスしたときにトウ端１８もヒール端２２もゴルフボールに近くない（例えば、まっすぐなボール飛行を促進する）状態で、よりオープンポジションに又はニュートラルポジション（又は、ニュートラル構成あるいはスクエア構成）に向けることができる。
【０１１６】
別の例として、キール表面５４４が十分なキール高さＨでリセス５０４から中間程度まで延びる第２の調節位置（図３６）に調整部材５３６を再配向することができ、これにより、ゴルフクラブヘッド１０がアドレス位置にあるときに、キール面５４４は地面に接触し、したがって、それ自体のキールポイントを生成する。第２の位置では、キール表面５４４によって生成されるキールポイントは、ＣＧ５８の後ろに（即ち、ｚ軸７０に平行な方向で後端４２とＣＧ５８との間に）位置する。調整部材５３６を第２の調整位置に再配置することにより、アドレスしたときの静止面角度は、アドレスしたときにトウ端１８がヒール端２２よりもゴルフボールに近くなる（例えば、ドローやフックを促進する）状態で、第１の位置に比して、オープンポジションからニュートラルポジションへ、又は、ニュートラルポジションからクローズポジションへ、よりクローズポジションへと向け直すことができる。
【０１１７】
別の例として、調整部材５３６が第２の調整位置にあるときよりもキール面５４４がリセス５０４から大きく進展する第３の調整位置（図３７）に調整部材５３６を向け直すことができ、これにより、ゴルフクラブヘッド１０がアドレス位置にあるときに、キール面５４４は再び地面に接触し、したがって、それ自体のキールポイントを生成する。第３の位置では、キール面５４４によって生成されるキールポイントは、同様にＣＧ５８の後ろに（即ち、ｚ軸７０に平行な方向で後端４２とＣＧ５８との間に）位置する。調整部材５３６を第３の調整位置に再配置することにより、アドレスしたときの静止面角度は、アドレスしたときにトウ端１８がヒール端２２よりもゴルフボールに近くなる（例えば、ドローやフックを促進する）状態で、第１及び第２の調整位置に比して、よりクローズポジションへと向け直すことができる。他のクラブヘッド１０では、調整部材５３６の上述の調整は、静止面角度を、オープンポジション（第１の調整位置）からよりニュートラルポジション（第２の調整位置）からクローズポジション（第３調整位置）に配置することができる。第１と第２と第３の調整位置の間の調整はまた、図４−９に関して上述したのと同様に、ソール面７４上のキールポイントを第１の位置から第２の位置そして第３の位置へ移動させる。その結果、第１の調整位置と第３の調整位置を比較した静止面角度の変化は最大１０度になり得る。例えば、第１と第２と第３の調整位置を比較した静止面角度の変化は、１度、２度、３度、４度、５度、６度、７度、８度、９度又は１０度であり得る。
【０１１８】
図３８−４３を参照すると、静止面角度調整器６００の実施形態が示されている。調整器６００は、調整器１００、２００、３００、４００及び５００と同様の構成を有し、同様の名前および／または同様の番号が同様の構成を識別する。調整器６００は、ゴルフクラブヘッド１０のソール３０に配置されたリセス６０４を含む。図示の実施形態では、リセス６０４はほぼ円筒形であり、ソール表面７４の開口部６８８から底壁６０８まで軸方向に延びている。リセス６０４は、トウ端１８よりもヒール端２２に近く、フェース３４よりも後端４２に近いソール３０に配置される。しかしながら、他の実施形態では、リセス６０４は、ＣＧの前を含むように、ソール３０の任意の適切な位置に配置することができる。
【０１１９】
図示の実施形態では、リセス６０４は、底壁６０８と、底壁６０８と開口部６８８との間に延びる円筒形側壁６１２とを含む。円筒状側壁６１２は、雌ねじ６７４を担持するねじ付き円筒状側壁６１２である。ソール３０は、ソール面７４を有している。そのソール面７４は、ソール面７４が円筒状側壁６１２に接するリセス６０４を直接取り囲む隣接表面部７８を有している。ソール表面７４の一部は、少なくとも部分的にリセス５０４を境界付け、いくつかの実施形態では、隣接表面部７８はリセス縁部７８である。
【０１２０】
調整器６００はまた、リセス６０４内に少なくとも部分的に受け入れられる調整部材６３６を含む。調整部材６３６は、底面６４０と底面６４０の反対側に位置するキール面６４４（又は、突出面６４４あるいは接触面６４４）との間に延びる円周側壁６９２を有するほぼ円筒形の本体６６０を含む。円周側壁６９２は、雄ねじ６７８を担持するねじ付き円周側壁６９２である。調整部材６３６の雄ねじ６７８は、リセス６０４の雌ねじ６７４と選択的に係合して、リセス６０４内において調整部材６３６を仮固定することができる。他の実施形態（図示せず）では、調整部材１３６は、他の機械的手段（例えば、磁石など）によってゴルフクラブヘッド１０に固定することができる。ツールリセス６９６は、キール面６４４に配置され、ツールビット（図示せず）と選択的に係合して、調整部材６３６をリセス６０４の中へ及び外へと回転させる。いくつかの実施形態（図示せず）では、ばねは、リセス６０４の底壁６０８と調整部材６３６の底面６４０との間に配置され、底面６４０を底壁６０８から離れるように付勢することができる。
【０１２１】
図４０−４３に示されるように、調整部材６３６は、第１の引込調整位置（図４０及び４２）と第２の伸展調整位置（図４１及び４３）との間の複数の調整位置において、リセス６０４内で再配置可能である。例えば、図４０及び図４３は、底面６４０が底壁６０８により近く配置されている第１の調整位置にある調整部材６３６を示している。図４１及び図４３では、調整部材６３６は、底面６４０が底壁６０８からより遠くに位置する第２の調整位置で示されている。調整部材６３６は、第１の調整位置と第２の調整位置との間の任意の数の中間調整位置（図示せず）に配置することもできる。
【０１２２】
図示の実施形態では、調整部材６３６が第１の調整位置にあるとき、キール面６４４は、隣接表面部７８より下にあるか、又は、比較的同一面である。調整部材６３６が第２の調整位置にあるとき、キール面６４４は、隣接表面部７８（又は縁７８）を越えて突出する。調整部材が第１の調整位置と第２の調整位置との間の中間調整位置（図示せず）に配置されると、キール面６４４は、第１の調整位置よりも大きく第２の調整位置よりも小さい中間程度まで突出する。
【０１２３】
静止面角度調整器６００の動作において、リセス６０４内の調整部材６３６の位置は、調整部材６３６を回転させて調整部材６３６をリセス６０４に出し入れすることにより調整することができる。例えば、調整部材６３６を第１の調整位置（図４０）に向けて移動させるには、調整部材を第１の回転方向に回転させて調整部材をリセス６０４内に向けて、そして底壁６０８に向けて移動する。同様に、調整部材６３６は、調整部材６３６を第１の回転方向とは反対の第２の回転方向に回転させることにより、第１の調整位置（図４０）から第２の調整位置（図４１）に移動することができる。
【０１２４】
調整部材６３６を第１の調整位置と第２の調整位置との間で再配置することにより、キール高さＨを調整して、アドレス位置の静止面角度を操作することができる。例えば、キール面６４４がリセス６０４から伸展しない第１の調整位置（図４０）にある調整部材６３６では、ゴルフクラブヘッド１０がアドレス位置にあるときに、キール面６４４は地面に接触せず、したがって、それ自体のキールポイントを生成しない。調整部材６３６を第１の調整位置に配置することにより、アドレスしたときの静止面角度は、アドレスしたときにトウ端１８もヒール端２２もゴルフボールに近くない（例えば、まっすぐなボール飛行を促進する）状態で、よりオープンポジションに又はニュートラルポジション（又は、ニュートラル構成あるいはスクエア構成）に向けることができる。
【０１２５】
別の例として、キール面６４４が十分なキール高さＨでリセス６０４から延びる第２の調整位置（図４１）に調整部材６３６の向きを変えることができ、これにより、ゴルフクラブヘッド１０がアドレス位置にあるときに、キール面６４４が地面に接触し、したがって、それ自体のキールポイントを生成する。第２の位置では、キール面６４４によって生成されるキールポイントは、ＣＧ５８の後ろに（即ち、ｚ軸７０に平行な方向で後端４２とＣＧ５８との間に）位置する。調整部材６３６を第２の調整位置に再配置することにより、アドレスしたときの静止面角度は、アドレスしたときにトウ端１８がヒール端２２よりもゴルフボールに近くなる（例えば、ドローやフックを促進する）状態で、オープンポジションからニュートラルポジションへ、又は、ニュートラルポジションからクローズポジションへ、よりクローズポジションへと向け直すことができる。第１と第２の調整位置の間の調整はまた、図４−９に関して上述したように、ソール面７４上のキールポイントを第１の位置から第２の位置へ移動させる。その結果、第１の調整位置と第２の調整位置を比較した静止面角度の変化は最大１０度になり得る。例えば、第１と第２の調整位置を比較した静止面角度の変化は、１度、２度、３度、４度、５度、６度、７度、８度、９度又は１０度であり得る。
【０１２６】
同様に、調整部材６３６は、第１の調整位置と第２の調整位置との間の任意の中間位置（図示せず）にさらに再配置でき、それによりアドレスしたときの静止面角度がよりクローズポジション又はオープンポジションに再配向される程度を調整する。
【０１２７】
図４４−４９を参照すると、静止面角度調整器７００の実施形態が示されている。調整器７００は、調整器１００、２００、３００、４００、５００及び６００と同様の構成を有し、同様の名前および／または同様の番号が同様の構成を識別する。いくつかの実施形態（図示せず）では、調整器１００、２００、３００、４００、５００又は６００のいずれかが第１の調整器１００、２００、３００、４００、５００又は６００であり得、調整器７００がゴルフクラブヘッド１０の第１の調整器１００、２００、３００、４００、５００又は６００と組み合わされる第２の調整器であり得る。
【０１２８】
調整器７００は、ゴルフクラブヘッド１０のヒール端２２に配置されたリセス７０４を含む。図示の実施形態では、リセス７０４は、ホーゼル５０に近接するホーゼル壁７２４からソール３０に近接する開口部７８８に向かって延びるホーゼルリセス７０４である。ホーゼルリセス７０４は、ヒール端２２の一部に沿って延びる実質的に真っ直ぐなホーゼルリセス７０４である。ホーゼルリセス７０４は、後端４２よりもフェース３４により近く、且つ、ＣＧの前のヒール端２２に配置される。
【０１２９】
図示の実施形態では、ホーゼルリセス７０４は、ホーゼル壁７２４、底壁７０８及び対向する側壁７１２を含む。底壁７０８及び側壁７１２は、ソール３０に隣接する開口部７８８を画定する。底壁７０８は、スライド面７３２を画定する。ソール３０は、ソール面７４を有している。そのソール面７４は、ソール面７４が側壁７１２及び底壁７０８と接する開口７８８を直接囲む隣接表面部７８を有している。ソール面７４の一部は、ホーゼルリセス７０４を少なくとも部分的に境界付け、いくつかの実施形態では、隣接表面部７８はリセス縁部７８である。
【０１３０】
図示の実施形態では、ホーゼル壁７２４は、クラブシャフト留め具（図示せず）を受け入れる穴を含む。シャフト留め具は、ホーゼルボアと協働して、ゴルフクラブヘッド１０をゴルフクラブシャフト（図示せず）に固定する。したがって、ホーゼルリセス７０４は、ゴルフクラブヘッド１０がシャフトに選択的に固定または取り外され得るように、又は、ゴルフクラブヘッド１０がシャフトに対して調整され得るように（即ち、よりオープンな又はよりクローズな静止面角度とするために）、ホーゼル留め具へのアクセスを可能にする。
【０１３１】
調整器１００はまた、ホーゼルリセス７０４に少なくとも部分的に受け入れられる調整部材７３６を含む。調整部材７３６は、第１の端７６４と第２の端７６８との間で長手方向に延びる本体７６０を含む。本体７６０は、底面７４０、第１の端７６４に位置するキール面７４４（又は、突出面７４４あるいは接触面７４４）、及び、底面７４０と上面７８２との間に延びる貫通スロット７４８を含む。貫通スロット７４８は、底壁７０８のねじ穴７５６と選択的に係合して、ホーゼルリセス７０４内において調整部材７３６をゴルフクラブヘッド１０に仮固定するねじ留め具７５２を受け入れることができる。他の実施形態（図示せず）では、調整部材１３６は、他の機械的手段（例えば、磁石など）によってゴルフクラブヘッド１０に固定することができる。ホーゼルリセス７０４に挿入されると、調整部材７３６の底面７４０はスライド面７３２に当接する。キール面７４４は、隣接表面部７８とキール面７４４との間の隣接表面部７８に直交して測定される、隣接表面部７８の上方のキール高さＨまで突出する。
【０１３２】
図４６−４９に示されるように、調整部材７３６は、ホーゼル壁７２４（図４６及び図４８）に隣接する第１の引込調整位置と開口部７８８（図４７及び図４９）に隣接する第２の伸展調整位置との間の複数の調整位置において、ホーゼルリセス７０４内で再配置可能である。調整部材７３６は、第１の調整位置と第２の調整位置との間の任意の数の中間調整位置（図示せず）に配置することもできる。他の実施形態（図示せず）では、調整部材７３６は、調整器１００に関して上述したようなリセス７０４内又は調整部材７３６上の表面特徴を用いて、離散的な数の調整位置（即ち、２つの調整位置、３つの調整位置など）にのみ固定されてもよい。
【０１３３】
図示の実施形態では、調整部材７３６が第１の調整位置にあるとき、キール面７４４は、隣接表面部７８の下にあるか、又は、比較的同一面である。調整部材７３６が第２の調整位置にあるとき、キール面７４４は、隣接表面部７８（又は縁７８）を越えて突出する。調整部材が第１の調整位置と第２の調整位置との間の中間調整位置（図示せず）に配置されると、キール面７４４は、第１の調整位置より大きく第２の調整位置より小さい中間程度に突出する。
【０１３４】
静止面角度調整器１００の動作において、ホーゼルリセス７０４内の調整部材７３６の位置は、留め具７５２を緩め、調整部材７３６を開口７８８に向かって又はホーゼル壁７２４に向かってスライドさせることにより調整できる。例えば、調整部材７３６は、留め具７５２を緩め、ホーゼルリセス７０４内で調整部材７３６をホーゼル壁から開口部７８８に向けてスライドさせ、次いで、調整部材７３６を第２の調整位置に固定するために留め具７５２を再び締めることにより、第１の調整位置（図４６）から第２の調整位置（図４７）に再配置できる。同様に、留め具７５２を緩め、開口部７８８からホーゼル壁７２４に向かって調整部材７３６をスライドさせることにより、調整部材７３６を第２の調整位置（図４７）から第１の調整位置（図４６）に再配置することができる。
【０１３５】
調整部材７３６を第１の調整位置と第２の調整位置との間で再配置することにより、キール高さＨを調整して、アドレス位置の静止面角度を操作することができる。例えば、キール面７４４がホーゼルリセス７０４から伸展しないか、又は、ホーゼルリセス７０４内に完全に収まる第１の調整位置（図４６）にある調整部材７３６では、ゴルフクラブヘッド１０がアドレス位置にあるときに、キール面７４４は地面に接触せず、それ自体のキールポイントを生成しない。調整部材７３６を第１の調整位置に配置することにより、アドレスしたときの静止面角度は、アドレスしたときにトウ端１８もヒール端２２もゴルフボールに近くない（例えば、まっすぐなボール飛行を促進する）状態で、よりクローズポジションに又はニュートラルポジション（又は、ニュートラル構成あるいはスクエア構成）に向けることができる。
【０１３６】
別の例として、キール面７４４が十分なキール高さＨでホーゼルリセス７０４から延びる第２の調整位置（図４７）に調整部材７３６の向きを変えることができ、これにより、ゴルフクラブヘッド１０がアドレス位置にあるときに、キール面７４４が地面に接触し、したがって、それ自体のキールポイントを生成する。第２の位置では、キール面７４４によって生成されるキールポイントは、ＣＧ５８の前方に（即ち、ｚ軸７０に平行な方向でフェース３４とＣＧ５８との間に）位置する。調整部材７３６を第２の調整位置に再配置することにより、アドレスしたときの静止面角度は、アドレスしたときにヒール端２２がトウ端１８よりもゴルフボールに近くなる（例えば、フェードやスライスを促進する）状態で、クローズポジションからニュートラルポジションへ、又は、ニュートラルポジションからオープンポジションへ、よりオープンポジションへとすることができる。第１と第２の調整位置の間の調整はまた、図４−９に関して上述したように、ソール面７４上のキールポイントを第１の位置から第２の位置へ移動させる。その結果、第１の調整位置と第２の調整位置を比較した静止面角度の変化は最大１０度になり得る。例えば、第１と第２の調整位置を比較した静止面角度の変化は、１度、２度、３度、４度、５度、６度、７度、８度、９度又は１０度であり得る。
【０１３７】
同様に、調整部材７３６は、第１の調整位置と第２の調整位置との間の任意の中間位置（図示せず）にさらに再配置でき、それによりアドレスしたときの静止面角度がよりオープンポジション又はクローズポジションに再配向される程度を調整する。
【０１３８】
図４−９の調整器１００に関して記載した留め具１５２のような留め具を含む、これまでに説明した調整器１００、２００、３００、４００、５００、６００及び／又は７００のすべての実施形態では、調整部材１３６、２３６、３３６、４３６、５３６、６３６及び／又は７３６はまた、留め具を外すことにより、リセス１０４、２０４、３０４、４０４、５０４、６０４及び／又は７０４から取り外され得る。次に、調整部材１３６、２３６、３３６、４３６、５３６、６３６及び／又は７３６を回転させ、取り外して交換し、または別の方法で向きを変えてから再挿入するか、別の調整部材をリセス１０４、２０４、３０４、４０４、５０４、６０４及び／又は７０４に挿入することができる（図示せず）。調整部材１３６、２３６、３３６、４３６、５３６、６３６及び／又は７３６は、クラブヘッド１０内に留め具を再挿入及び再締め付けすることにより、リセス１０４、２０４、３０４、４０４、５０４、６０４及び／又は７０４に再取り付けすることができる。調整器１００、２００、３００、４００、５００、６００及び／又は７００の他の実施形態では、留め具は取り外し可能ではないため、調整部材１３６、２３６、３３６、４３６、５３６、６３６及び／又は７３６がリセスから取り外し可能ではない。
【０１３９】
いくつかの実施形態では、第１及び第２の調整器が１つのクラブ本体に存在するように、上述の調整器１００、２００、３００、４００、５００、６００及び／又は７００の１つまたは複数が１つのクラブ本体に組み合わせることができ、例えば、任意の１つの調整器１００、２００、３００、４００、５００及び６００を調整器７００に組み合わせることができる。
【０１４０】
さらに、調整器１００、２００、３００、４００、５００及び６００はＣＧの後ろに通常配置されると説明したが、いずれの調整器１００、２００、３００、４００、５００及び６００もＣＧの前に配置し、アドレスしたときの静止面角度を異なるように再配向することができる。
【０１４１】
いくつかの実施形態では、第１及び第２の調整器が１つのクラブ本体に存在するように、上述の調整器１００、２００、３００、４００、５００、６００及び／又は７００の１つまたは複数が１つのクラブ本体に組み合わせることができ、例えば、任意の１つの調整器１００、２００、３００、４００、５００及び６００を調整器７００に組み合わせることができる。これらの実施形態では、第１の調整器がＣＧの後ろに配置され、第２の調整器がＣＧの前に配置され得る。その結果、アドレスしたときの静止面角度の調整範囲が、単一の調整器を利用する実施形態によりも大きくなり得る。例えば、調整器１００を調整器７００と組み合わせることにより、調整器１００のみよりも大きな調整静止面角度範囲をもたらすことができる。
【０１４２】
１つまたは複数の請求された要素の置き換えは、再構成を構成するものであり、修復は構成しない。さらに、利益、他の利点、および問題に対する解決法を、特定の実施形態に関して上記に説明した。しかし、利益、利点、問題に対する解決法、および任意の利益、利点、または解決法を生じさせ得るかまたはそれらをより明白にし得るいずれの要素（１つまたは複数）も、そのような利益、利点、解決法、または要素が請求項のいずれかまたはすべてにおいて明示的に述べられていない限り、そのような請求項の重要、必要、または不可欠な特徴または要素として解釈すべきではない。
【０１４３】
ゴルフのルールは時々変更され得るため（例えば、ゴルフの標準的組織および／または管理機関、例えば、全米ゴルフ協会（ＵＳＧＡ）、全英ゴルフ協会（Ｒ＆Ａ）等によって、新たな規則が採用され得るか、または古い規則が削除または変更されてもよい）、本明細書に記載の装置、方法、および製造物品に関連するゴルフ器具は、任意の特定の時期におけるゴルフのルールに適合する場合も、適合しない場合もある。したがって、本明細書に記載の装置、方法、および製造物品に関連するゴルフ器具は、適合または非適合ゴルフ器具として宣伝され、市場に出され、かつ／または販売される場合がある。本明細書に記載の装置、方法、および製造物品はこの点で限定されない。
【０１４４】
上記実施例は、ウッド型ゴルフクラブとの関連で説明され得るが、本明細書に記載の装置、方法、および製造物品は、ドライバー、フェアウェイウッド、ハイブリッド、クロスオーバー、又は、任意の中空タイプのゴルフクラブを含む様々なゴルフクラブにも適用できる。あるいは、本明細書に記載の装置、方法、および製造物品は、他の種類のスポーツ器具、例えば、ホッケー用スティック、テニスラケット、釣竿、スキーポール等にも適用できる。
【０１４５】
さらに、本明細書に開示される実施形態および制限は、実施形態および／または制限が（１）請求項に明示的に特許請求されておらず、（２）均等論下で請求項の明白な要素および／または制限の潜在的な等価物である場合に、公有の原則下で公衆に供されない。
【０１４６】
特定の好ましい実施形態を参照して本発明を詳細に説明したが、説明した本発明の１つまたは複数の独立した態様の範囲および趣旨内で変形および改良が存在する。
【０１４７】
条項１：ゴルフクラブヘッドであって、ソールの反対側のクラウン、ヒール端の反対側のトウ端、フェースの反対側の後端及びホーゼルを有しており、ソールはソール面を含む、クラブ本体と；ソール面の一部が少なくとも部分的にリセスを画定するように、ソールに形成されたリセスを含む静止面角度調整器と；キール面を有しており、リセス内に配置され、第１の調整位置と第２の調整位置との間に配置可能な調整部材と；を備え、調整部材は、調整部材が第１の調整位置に配置されると、キール面がソール面の一部に対してソール面の一部に直交する方向において第１の距離にあり、調整部材が第２の調整位置に配置されると、キール面がソール面の一部に対して前記方向において第１の距離に等しくない第２距離にある。
【０１４８】
条項２：調整部材が第１の調整位置に配置されると、キール面がリセス内に位置する、条項１に記載のゴルフクラブヘッド。
【０１４９】
条項３：調整部材が貫通スロットを含み、調整部材は、調整部材を第１の調整位置と第２の調整位置のそれぞれに選択的に固定する留め具を含み、調整器は、貫通スロット内において留め具が調整部材に対して移動可能となるように構成される、条項１に記載のゴルフクラブヘッド。
【０１５０】
条項４：調整部材は、第１及び第２の調整位置の間でクラブ本体に対してリセス内でスライド可能である、条項３に記載のゴルフクラブヘッド。
【０１５１】
条項５：リセスはその内面に形成されたチャネルを含み、調整部材は、チャネルに係合して調整部材を第１の調整位置と第２の調整位置のいずれか一方に選択的に固定するように構成された突起を含む、条項１のゴルフクラブヘッド調整位置。
【０１５２】
条項６：ゴルフクラブヘッドであって、ソールの反対側のクラウン、ヒール端の反対側のトウ端、フェースの反対側の後端及びホーゼルを有するクラブ本体であって、ソールはソール面を含む、クラブ本体と；ソールに形成されたリセス内に配置可能であり、リセス縁を画定する調整部材を含む静止面角度調整器であって、キール面を含む調整部材は、第１の調整位置と第２の調整位置との間に配置可能であり、調整部材が第１の調整位置に配置されると、キール面の一部がソール縁の一部から第１の距離にあり、調整部材が第２の調整位置に配置されると、キール面の一部がソール縁の一部から第１の距離よりも大きい第２の距離にあるように、調整器が構成されている、ゴルフクラブヘッド。
【０１５３】
条項７：調整部材が第１の調整位置に配置されると、キール面の一部がリセス内に位置する、条項６のゴルフクラブヘッド。
【０１５４】
条項８：調整部材は、第１の調整位置と第２の調整位置の間のピボット軸回りで旋回可能である、条項６のゴルフクラブヘッド。
【０１５５】
条項９：調整部材が第１の端と第２の端を含み、キール面が第１の端と第２の端の間に延びており、調整器は、調整部材が第１の調整位置に配置されると、第１の端の近傍のキール面の一部がリセスの外に突出し、第２の端の近傍のキール面の一部がリセス内に位置し、調整部材が第２の調整位置に配置されると、第１の端の近傍のキール面の一部がリセス内に位置し、第２の端の近傍のキール面の一部がリセスの外に突出する、条項８に記載のゴルフクラブヘッド。
【０１５６】
条項１０：調整部材がさらに第３の調整位置に配置可能であり、調整部材が第３の調整位置に配置されると、キール面がソール面の一部と概ね同一平面となるように、調整器が構成されている、条項９に記載のゴルフクラブヘッド。
【０１５７】
条項１１：調整部材がキール面の反対側の底面を含み、調整器は、リセスの近傍のねじ穴と、ねじ穴に選択的に受け入れ可能な調整ねじと、を含み、調整ねじは底面と選択的に係合可能な先端部分を有しており、調整ねじは、調整部材を第１及び第２の調整位置の間で再配置させるように旋回可能である、条項８に記載のゴルフクラブヘッド。
【０１５８】
条項１２：調整部材がさらに、調整部材を第１の調整位置及び第２の調整位置の一方に向かって付勢するバネを含む、条項６に記載のゴルフクラブヘッド。
【０１５９】
条項１３：ゴルフクラブヘッドであって、ソールの反対側のクラウン、ヒール端の反対側のトウ端、フェースの反対側の後端及びホーゼルを有するクラブ本体であって、ソールはソール表面を含む、クラブ本体と；ソールに形成されるリセス内に配置可能な調整部材を含む静止面角度調整器であって、キール面を有する調整部材が第１の調整位置と第２の調整位置の間で配置可能である、静止面角度調整器と、を備えており、調整部材が第１の調整位置に配置されると、調整部材はクラブ本体がアドレス位置にあるときにクラブ本体の第１の位置でキールポイントをもたらし、調整部材が第２の調整位置に配置されると、調整部材はクラブ本体がアドレス位置にあるときにクラブ本体の第１の位置とは異なる第２の位置でキールポイントをもたらすように、静止面角度調整器が構成されている、ゴルフクラブヘッド。
【０１６０】
条項１４：調整部材が第１の調整位置に配置されると、調整部材は完全にリセス内にある、条項１３に記載のゴルフクラブヘッド。
【０１６１】
条項１５：第２の位置が第１の位置よりもフェースに近い、条項１３に記載のゴルフクラブヘッド。
【０１６２】
条項１６：第１の位置が第２の位置よりもフェースに近い、条項１３に記載のゴルフクラブヘッド。
【０１６３】
条項１７：調整部材が、第１の調整位置と第２の調整位置の間のピボット軸回りに回転可能である、条項１３に記載のゴルフクラブヘッド。
【０１６４】
条項１８：調整部材が貫通スロットを含み、調整部材は、調整部材を第１の調整位置と第２の調整位置のそれぞれに選択的に固定する留め具を含み、調整器は、貫通スロット内において留め具が調整部材に対して移動可能となるように構成される、条項１３に記載のゴルフクラブヘッド。
【０１６５】
条項１９：調整部材は、第１及び第２の調整位置の間でクラブ本体に対してリセス内でスライド可能である、条項１８に記載のゴルフクラブヘッド。
【０１６６】
条項２０：リセスはその内面に形成されたチャネルを含み、調整部材は、チャネルに係合して調整部材を第１の調整位置と第２の調整位置のいずれか一方に選択的に固定するように構成された突起を含む、条項１３に記載のゴルフクラブヘッド調整位置。
【０１６７】
条項２１：ゴルフクラブヘッドであって、ソール面を有するソールの反対側のクラウン、ヒール端の反対側のトウ端、フェースの反対側の後端、ホーゼル及びクラブ本体にクラブシャフトを固定するための留め具を受け入れるように構成されているホーゼル面を有するホーゼルリセスを有するクラブ本体であって、ホーゼルリセスがリセス縁を画定し、ソール面の一部がリセス縁を境界付ける、クラブ本体と；ホーゼルリセス内に設けられている調整部材を含む静止面角度調整器であって、調整部材がキール面を有しており、調整部材が第１の調整位置と第２の調整位置の間で配置可能である、静止面角度調整器と、を備えており、調整部材が第１の調整位置に配置されると、キール面がソール面の一部に対してソール面の一部に直交する方向において第１の距離にあり、調整部材が第２の調整位置に配置されると、キール面がソール面の一部に対して前記方向において第１の距離とは等しくない第２の距離にあるように、調整器が構成されている、ゴルフクラブヘッド。
【０１６８】
条項２２：調整部材が第１の調整位置に配置されると、調整部材はクラブ本体の第１の位置でキールポイントをもたらし、調整部材が前記第２の調整位置に配置されると、調整部材はクラブ本体の第１の位置とは異なる第２の位置でキールポイントをもたらすように、静止面角度調整器が構成されている、条項２１に記載のゴルフクラブヘッド。
【０１６９】
条項２３：調整部材はさらに、第１の調整位置と第２の調整位置の間の複数の中間調整位置に配置可能である、条項２１に記載のゴルフクラブヘッド。
【０１７０】
条項２４：調整部材は、貫通スロットを含み、調整器は、調整部材を第１の調整位置と第２の調整位置のそれぞれに選択的に固定する留め具を含み、貫通スロット内において留め具が調整部材に対して移動可能となるように、調整器が構成されている、条項２３に記載のゴルフクラブヘッド。
【０１７１】
条項２５：調整部材は、ホーゼルリセス内において第１及び第２の調整位置の間でクラブ本体に対してスライド可能である、条項２４に記載のゴルフクラブヘッド。
【０１７２】
本開示のさまざまな特徴は以下の請求項に記載される。
【図１】
2020518361.tif 000003
【図２】
2020518361.tif 000004
【図３Ａ】
2020518361.tif 000005
【図３Ｂ】
2020518361.tif 000006
【図４】
2020518361.tif 000007
【図５】
2020518361.tif 000008
【図６】
2020518361.tif 000009
【図７】
2020518361.tif 000010
【図８】
2020518361.tif 000011
【図９】
2020518361.tif 000012
【図１０】
2020518361.tif 000013
【図１１】
2020518361.tif 000014
【図１２】
2020518361.tif 000015
【図１３】
2020518361.tif 000016
【図１４】
2020518361.tif 000017
【図１５】
2020518361.tif 000018
【図１６】
2020518361.tif 000019
【図１７】
2020518361.tif 000020
【図１８】
2020518361.tif 000021
【図１９】
2020518361.tif 000022
【図２０】
2020518361.tif 000023
【図２１】
2020518361.tif 000024
【図２２】
2020518361.tif 000025
【図２３】
2020518361.tif 000026
【図２４】
2020518361.tif 000027
【図２５】
2020518361.tif 000028
【図２６】
2020518361.tif 000029
【図２７】
2020518361.tif 000030
【図２８】
2020518361.tif 000031
【図２９】
2020518361.tif 000032
【図３０】
2020518361.tif 000033
【図３１】
2020518361.tif 000034
【図３２】
2020518361.tif 000035
【図３３】
2020518361.tif 000036
【図３４】
2020518361.tif 000037
【図３５】
2020518361.tif 000038
【図３６】
2020518361.tif 000039
【図３７】
2020518361.tif 000040
【図３８】
2020518361.tif 000041
【図３９】
2020518361.tif 000042
【図４０】
2020518361.tif 000043
【図４１】
2020518361.tif 000044
【図４２】
2020518361.tif 000045
【図４３】
2020518361.tif 000046
【図４４】
2020518361.tif 000047
【図４５】
2020518361.tif 000048
【図４６】
2020518361.tif 000049
【図４７】
2020518361.tif 000050
【図４８】
2020518361.tif 000051
【図４９】
2020518361.tif 000052
【国際調査報告】
2020518361.tif 000053
2020518361.tif 000054
2020518361.tif 000055
2020518361.tif 000056